(57)【要約】【課題】効率的にランダムアクセス送信を実行することができる【解決手段】端末装置は、ＣＣ−ＲＮＴＩによってスクランブルされたＣＲＣパリティビットが付加されたＤＣＩフォーマット１Ｃを含むＰＤＣＣＨを受信し、ＬＡＡセルにおいてプリアンブルを送信し、ＰＲＡＣＨ送信のための上りリンクＬＢＴ手順のタイプは、ＰＲＡＣＨ送信に用いられるＰＲＡＣＨリソースが下りリンク物理チャネルを受信しない上りリンク期間内のサブフレームに少なくとも含まれるかどうかに基づいて、決定され、上りリンク期間の値は、前記ＤＣＩフォーマット１Ｃに含まれる‘Uplink transmission duration and offset indication’フィールドに少なくとも基づいて、与えられる【選択図】図５
2019216293.tif 000002
【特許請求の範囲】
【請求項１】
ＣＣ−ＲＮＴＩによってスクランブルされたＣＲＣパリティビットが付加されたＤＣＩフォーマット１Ｃを含むＰＤＣＣＨを受信する受信処理部と、
上りリンクＬＢＴを行うチャネル測定部と、
ＬＡＡセルにおいてプリアンブルを送信する送信処理部と、を備え、
ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、
前記上りリンク期間の値は、前記ＤＣＩフォーマット１Ｃに含まれる‘Uplink transmission duration and offset indication’フィールドに少なくとも基づいて、与えられる
端末装置。
【請求項２】
前記ＰＲＡＣＨリソースが上りリンク期間内のサブフレームにあった場合、前記ＰＲＡＣＨ送信のための上りリンクＬＢＴ手順はタイプ２の上りリンクＬＢＴ手順に決定され、
前記ＰＲＡＣＨリソースが上りリンク期間外のサブフレームにあった場合、前記ＰＲＡＣＨ送信のための上りリンクＬＢＴ手順のタイプはタイプ１の上りリンクＬＢＴ手順に決定される
請求項１の端末装置。
【請求項３】
前記ＰＲＡＣＨリソースが上りリンク期間内のサブフレームにあった場合、ＰＲＡＣＨ送信が行い、
前記ＰＲＡＣＨリソースが上りリンク期間外のサブフレームにあった場合、ＰＲＡＣＨ送信が行わない
請求項２の端末装置。
【請求項４】
ＣＣ−ＲＮＴＩによってスクランブルされたＣＲＣパリティビットが付加されたＤＣＩフォーマット１Ｃを含むＰＤＣＣＨを送信する送信処理部と、
ＬＡＡセルにおいてプリアンブルを受信する受信処理部と、を備え、
ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、
前記上りリンク期間の値は、前記ＤＣＩフォーマット１Ｃに含まれる‘Uplink transmission duration and offset indication’フィールドに少なくとも基づいて、与えられる
基地局装置。
【請求項５】
前記ＰＲＡＣＨリソースが上りリンク期間内のサブフレームにあった場合、前記ＰＲＡＣＨ送信のための上りリンクＬＢＴ手順はタイプ２の上りリンクＬＢＴ手順に決定され、
前記ＰＲＡＣＨリソースが上りリンク期間外のサブフレームにあった場合、前記ＰＲＡＣＨ送信のための上りリンクＬＢＴ手順のタイプはタイプ１の上りリンクＬＢＴ手順に決定される
請求項４の基地局装置。
【請求項６】
前記ＰＲＡＣＨリソースが上りリンク期間内のサブフレームにあった場合、ＰＲＡＣＨ送信が行い、
前記ＰＲＡＣＨリソースが上りリンク期間外のサブフレームにあった場合、ＰＲＡＣＨ送信が行わない
請求項５の基地局装置。
【請求項７】
端末装置に用いられる通信方法であって、
ＣＣ−ＲＮＴＩによってスクランブルされたＣＲＣパリティビットが付加されたＤＣＩフォーマット１Ｃを含むＰＤＣＣＨを受信し、ＬＡＡセルにおいてプリアンブルを送信し、
ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、
前記上りリンク期間の値は、前記ＤＣＩフォーマット１Ｃに含まれる‘Uplink transmission duration and offset indication’フィールドに少なくとも基づいて、与えられる
通信方法。
【請求項８】
基地局装置に用いられる通信方法であって、
ＣＣ−ＲＮＴＩによってスクランブルされたＣＲＣパリティビットが付加されたＤＣＩフォーマット１Ｃを含むＰＤＣＣＨを送信し、ＬＡＡセルにおいてプリアンブルを受信し、
ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、
前記上りリンク期間の値は、前記ＤＣＩフォーマット１Ｃに含まれる‘Uplink transmission duration and offset indication’フィールドに少なくとも基づいて、与えられる
通信方法。
【請求項９】
端末装置に実装される集積回路であって、
ＣＣ−ＲＮＴＩによってスクランブルされたＣＲＣパリティビットが付加されたＤＣＩフォーマット１Ｃを含むＰＤＣＣＨを受信する受信処理回路と、
上りリンクＬＢＴを行うチャネル測定回路と、
ＬＡＡセルにおいてプリアンブルを送信する送信処理回路と、を備え、
ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、
前記上りリンク期間の値は、前記ＤＣＩフォーマット１Ｃに含まれる‘Uplink transmission duration and offset indication’フィールドに少なくとも基づいて、与えられる
集積回路。
【請求項１０】
基地局装置に実装される集積回路であって、
ＣＣ−ＲＮＴＩによってスクランブルされたＣＲＣパリティビットが付加されたＤＣＩフォーマット１Ｃを含むＰＤＣＣＨを送信する送信処理回路と、
ＬＡＡセルにおいてプリアンブルを受信する受信処理回路と、を備え、
ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、
前記上りリンク期間の値は、前記ＤＣＩフォーマット１Ｃに含まれる‘Uplink transmission duration and offset indication’フィールドに少なくとも基づいて、与えられる
集積回路。
【発明の詳細な説明】
【技術分野】
【０００１】
本発明は、端末装置、通信方法、および、集積回路に関する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
ＬＴＥリリース１３において、端末装置が複数のサービングセル（コンポーネントキャリア）において同時に送信、および／または、受信を行う技術であるキャリアアグリゲーションが仕様化されている（非特許文献１、２、３）。ＬＴＥリリース１４において、ライセンス補助アクセス（LAA: Licensed Assisted Access）の機能拡張、および、アンラ
イセンスバンド（unlicensed band）における上りリンクキャリアを用いたキャリアアグ
リゲーションが検討されている（非特許文献４）。アンライセンスバンド（unlicensed band）における上りリンクキャリアを用いたＰＲＡＣＨ送信（プリアンブル送信）が検討
されている。ランダムアクセス送信前に、ＬＢＴ（Listen Before Talk）の検討も必要になる。異なるタイプの上りリンクＬＢＴ手順はランダムアクセス送信に影響を与える。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"New Work Item on enhanced LAA for LTE", RP-152272, Ericsson, Huawei, 3GPP TSG RAN Meeting#70, Sitges, Spain, 7th - 10th December 2015.
【発明の概要】
【発明が解決しようとする課題】
【０００５】
本発明は、効率的にランダムアクセス送信を行うことができる端末装置、該端末装置に用いられる通信方法、該端末装置に実装される集積回路、効率的にランダムアクセス送信の受信を行うことができる基地局装置、該基地局装置に用いられる通信方法、および、該基地局装置に実装される集積回路を提供する。
【課題を解決するための手段】
【０００６】
（１）本発明の態様は、以下のような手段を講じた。すなわち、本発明の第１の態様は端末装置であって、ＣＣ−ＲＮＴＩによってスクランブルされたＣＲＣパリティビットが付加されたＤＣＩフォーマット１Ｃを含むＰＤＣＣＨを受信する受信処理部と、上りリンクＬＢＴを行うチャネル測定部と、ＬＡＡセルにおいてプリアンブルを送信する送信処理部と、を備え、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【０００７】
（２）本発明の第２の態様は、端末装置と通信する基地局装置であって、ＣＣ−ＲＮＴＩによってスクランブルされたＣＲＣパリティビットが付加されたＤＣＩフォーマット１Ｃを含むＰＤＣＣＨを送信する送信処理部と、ＬＡＡセルにおいてプリアンブルを受信する受信処理部と、を備え、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【０００８】
（３）本発明の第３の態様は、端末装置に用いられる通信方法であって、ＣＣ−ＲＮＴＩによってスクランブルされたＣＲＣパリティビットが付加されたＤＣＩフォーマット１Ｃを含むＰＤＣＣＨを受信し、ＬＡＡセルにおいてプリアンブルを送信し、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【０００９】
（４）本発明の第４の態様は、端末装置と通信する基地局装置に用いられる通信方法であって、ＣＣ−ＲＮＴＩによってスクランブルされたＣＲＣパリティビットが付加されたＤＣＩフォーマット１Ｃを含むＰＤＣＣＨを送信し、ＬＡＡセルにおいてプリアンブルを受信し、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【００１０】
（５）本発明の第５の態様は、端末装置に実装される集積回路であって、ＣＣ−ＲＮＴＩによってスクランブルされたＣＲＣパリティビットが付加されたＤＣＩフォーマット１Ｃを含むＰＤＣＣＨを受信する受信処理回路と、上りリンクＬＢＴを行うチャネル測定回路と、ＬＡＡセルにおいてプリアンブルを送信する送信処理回路と、を備え、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【００１１】
（６）本発明の第６の態様は、基地局装置に実装される集積回路であって、ＣＣ−ＲＮＴＩによってスクランブルされたＣＲＣパリティビットが付加されたＤＣＩフォーマット１Ｃを含むＰＤＣＣＨを送信する送信処理回路と、ＬＡＡセルにおいてプリアンブルを受信する受信処理回路と、を備え、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【発明の効果】
【００１２】
この発明によれば、端末装置は効率的にＰＲＡＣＨ送信を行うことができる。
【図面の簡単な説明】
【００１３】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態の基地局装置３の構成を示す概略ブロック図である。
【図５】本実施形態の端末装置１の構成を示す概略ブロック図である。
【図６】本実施形態におけるＰＵＳＣＨのスケジューリングの一例を示す図である。
【図７】本実施形態におけるＰＲＡＣＨ送信を行う一例を示す図である。
【図８】本実施形態におけるＰＲＡＣＨ送信を行う異なる一例を示す図である。
【図９】本実施形態におけるＰＲＡＣＨ送信を行う他の一例を示す図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
基地局装置３は端末装置１が該基地局装置３で通信可能なエリアであるセルを周波数毎に管理する。１つの基地局装置３が複数のセルを管理していてもよい。セルは、端末装置１と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置１がある基地局装置３と通信可能であるとき、その基地局装置３のセルのうち、端末装置１との通信に使用されるように設定されているセルは在圏セル（Ｓｅｒｖｉｎｇ  ｃｅｌｌ、サービングセル）であり、その他の通信に使用されないセルは周辺セル（Ｎｅｉｇｈｂｏｒｉｎｇ  ｃｅｌｌ）と称される。
【００１７】
以下、キャリアアグリゲーションについて説明する。
【００１８】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。複数のサービングセルは、少なくとも１つのプライマリセルを含む。複数のサービングセルは、１つ、または、複数のセカンダリセルを含んでもよい。複数のサービングセルは、１つ、または、複数のＬＡＡ（Licensed Assisted Access）セルを含んでもよい。ＬＡＡセルを、ＬＡＡセカンダリセルとも称する。
【００１９】
プライマリセルは、初期コネクション確立（initial connection establishment）手順が行なわれたサービングセル、コネクション再確立（connection re-establishment）手
順を開始したサービングセル、または、ハンドオーバ手順においてプライマリセルと指示されたセルである。ＲＲＣ（Radio Resource Control）コネクションが確立された時点、または、後に、セカンダリセル、および／または、ＬＡＡセルが設定されてもよい。プライマリセルは、ライセンスバンド（licensed band）に含まれてもよい。ＬＡＡセルは、
アンライセンスバンド（unlicensed band）に含まれてもよい。セカンダリセルは、ライ
センスバンド、および、アンライセンスバンドの何れに含まれてもよい。なお、ＬＡＡセルはプライマリセルとして設定されてもよい。また、ＬＡＡセルはセカンダリセルとして設定されてもよい。
【００２０】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２１】
端末装置１は、複数のサービングセル（コンポーネントキャリア）において同時に複数の物理チャネルでの送信、および／または受信を行うことができる。１つの物理チャネルは、複数のサービングセル（コンポーネントキャリア）のうち１つのサービングセル（コンポーネントキャリア）において送信される。
【００２２】
以下では、デュアルコネクティビティの基本構造（アーキテクチャー）について説明する。例えば、端末装置１が、複数の基地局装置３と同時に接続している場合を説明する。例えば、１つの基地局装置３はマクロセルを構成する基地局装置であり、他の１つの基地局装置３はスモールセルを構成する基地局装置である。このように、端末装置１が、複数の基地局装置３に属する複数のセルを用いて同時に接続することをデュアルコネクティビティと称する。各基地局装置３に属するセルは同じ周波数で運用されていてもよいし、異なる周波数で運用されていてもよい。
【００２３】
デュアルコネクティビティにおいて、コアネットワークのモビリティアンカーの役割を果たす基地局装置３をマスター基地局装置（ＭｅＮＢ：Master eNB）と称される。また、端末装置１に対して追加の無線リソースを提供するマスター基地局装置ではない基地局装置３をセカンダリー基地局装置（ＳｅＮＢ：Secondary eNB）と称される。マスター基地
局装置に関連されるサービングセルのグループをマスターセルグループ（ＭＣＧ：Master
Cell Group）、セカンダリー基地局装置に関連されるサービングセルのグループをセカ
ンダリーセルグループ（ＳＣＧ：Secondary Cell Group）と称される場合もある。なお、セルグループは、サービングセルグループであってもよい。
【００２４】
デュアルコネクティビティにおいて、プライマリセルは、ＭＣＧに属する。また、ＳＣＧにおいて、プライマリセルに相当するセカンダリセルをプライマリセカンダリセル（ｐＳＣｅｌｌ：Primary Secondary Cell）と称する。なお、ＰＳＣｅｌｌをスペシャルセルやスペシャルセカンダリーセル（Ｓｐｅｃｉａｌ  ＳＣｅｌｌ：Ｓｐｅｃｉａｌ  Ｓｅｃｏｎｄａｒｙ  Ｃｅｌｌ）と称する場合もある。スペシャルＳＣｅｌｌ（スペシャルＳＣｅｌｌを構成する基地局装置）には、ＰＣｅｌｌ（ＰＣｅｌｌを構成する基地局装置）の機能の一部（例えば、ＰＵＣＣＨを送受信する機能など）がサポートされてもよい。また、ｐＳＣｅｌｌには、ＰＣｅｌｌの一部の機能だけがサポートされてもよい。例えば、ｐＳＣｅｌｌには、ＰＤＣＣＨを送信する機能がサポートされてもよい。また、ｐＳＣｅｌｌには、ＣＳＳ（共通サーチスペース）またはＵＳＳ（ＵＥ個別サーチスペース）とは異なるサーチスペースを用いて、ＰＤＣＣＨ送信を行なう機能がサポートされてもよい。例えば、ＵＳＳとは異なるサーチスペースは、仕様で規定された値に基づいて決まるサーチスペース、Ｃ−ＲＮＴＩとは異なるＲＮＴＩに基づいて決まるサーチスペース、ＲＮＴＩとは異なる上位レイヤーで設定される値に基づいて決まるサーチスペースなどである。また、ｐＳＣｅｌｌは、常に、起動の状態であってもよい。また、ｐＳＣｅｌｌは、ＰＵＣＣＨを受信できるセルである。デュアルコネクティビティにおいて、ＬＡＡセルはＭＣＧに属するプライマリセルとして設定されてもよい。また、デュアルコネクティビティにおいて、ＬＡＡセルはＭＣＧに属するセカンダリセルとして設定されてもよい。また、デュ
アルコネクティビティにおいて、ＬＡＡセルはＳＣＧに属するプライマリセカンダリセルとして設定されてもよい。また、デュアルコネクティビティにおいて、ＬＡＡセルはＳＣＧに属するセカンダリセルとして設定されてもよい。
【００２５】
なお、キャリアアグリゲーションは、複数のセルを一つの基地局装置３が管理し、各セルの周波数が異なるという点がデュアルコネクティビティと異なる。換言すると、キャリアアグリゲーションは、１つの端末装置１と１つの基地局装置３とを、周波数が異なる複数のセルを介して接続させる技術であるのに対し、デュアルコネクティビティは、１つの端末装置１と複数の基地局装置３とを、周波数が同じまたは異なる複数のセルを介して接続させる技術である。また、ＭＣＧとＳＣＧのそれぞれに対して、キャリアアグリゲーションが適用されてもよい。
【００２６】
ＬＡＡセルは、プライマリセルおよび／またはセカンダリセルとデュアルコネクティビティによって、集約（アシスト）されてもよい。
【００２７】
以下では、ＬＡＡセルおよびＬＢＴの詳細について説明する。
【００２８】
ＬＡＡセルが用いる周波数は、他の通信システムおよび／または他のＬＴＥオペレータと共用される。周波数の共用において、ＬＡＡセルは、他の通信システムおよび／または他のＬＴＥオペレータとの公平性が必要になる。例えば、ＬＡＡセルで用いられる通信方式において、公平な周波数共用技術（方法）が必要である。換言すると、ＬＡＡセルは、公平な周波数共用技術が適用できる（用いられる）通信方式（通信手順）を行うセルである。
【００２９】
公平な周波数共用技術の一例は、ＬＢＴ（Listen-Before-Talk）である。ＬＢＴは、ある基地局装置３または端末装置１がある周波数（コンポーネントキャリア、キャリア、セル、チャネル、媒体）を用いて信号を送信する前に、ある基地局装置３または端末装置１がその周波数の干渉電力（干渉信号、受信電力、受信信号、雑音電力、雑音信号）などを測定（検出）することにより、その周波数がアイドル状態（空いている状態、混雑していない状態、Absence、Clear）であるか、またはビジー状態（空いていない状態、混雑している状態、Presence、Occupied）であるかを、識別（検出、想定、決定）する手順を含む。ＬＢＴに基づいて、その周波数がアイドル状態であると識別された場合、ある基地局装置３または端末装置１はそのＬＡＡセルの周波数における所定のタイミングで信号を送信することができる。ＬＢＴに基づいて、その周波数がビジー状態であると識別された場合、ある基地局装置３または端末装置１はそのＬＡＡセルの周波数における所定のタイミングでは信号を送信しない。ＬＢＴによって、ある基地局装置３または端末装置１が送信する信号が、他の通信システムおよび／または他のＬＴＥオペレータを含む他の基地局および／または端末が送信している信号に対して、干渉しないように制御できる。なお、下りリンク送信の前に基地局装置３が行うＬＢＴを下りリンクＬＢＴ、上りリンク送信の前に端末装置１が行うＬＢＴを上りリンクＬＢＴと呼称される。また、サイドリンク送信のために端末装置１が行うＬＢＴをサイドリンクＬＢＴと呼称してもよい。ここで、ＬＢＴは、ＣＣＡ（Clear Channel Assessment）であってもよい。ＬＢＴは、チャネルセンシングであってもよい。ＬＢＴは、チャネルアクセス（Channel access、キャリアセンス）とも呼称される。
【００３０】
ＬＢＴにおいて、アイドルであるかビジーであるかは、ある周波数における干渉電力が、あるしきい値を超えるかどうかに基づいて決定されてもよい。また、ＬＢＴにおいて、アイドルであるかビジーであるかは、ある周波数における所定の信号またはチャネルの受信電力が、あるしきい値を超えるかどうかに基づいて決定されてもよい。また、ＬＢＴにおいて、そのしきい値は予め規定されてもよい。また、ＬＢＴにおいて、そのしきい値は
基地局または他の端末から設定されてもよい。また、ＬＢＴにおいて、そのしきい値は送信電力（最大送信電力）などの他の値（パラメータ）に少なくとも基づいて決定（設定）されてもよい。また、ＬＢＴにおいて、アイドルであるかビジーであるかは、ある周波数における所定のチャネルが復号できたか否かに基づいて与えられてもよい。
【００３１】
下りリンクＬＢＴは、基地局装置３が１、または、複数のＬＢＴを行う手順を含む。一方で、上りリンクＬＢＴは、端末装置１が１、または、複数のＬＢＴを行う手順を含む。下りリンクＬＢＴは、下りリンクにおいて送信可能な情報（データ、バッファ、ロード、トラヒック）が発生した場合に、ＬＢＴの処理が開始される手順を含む。一方で、上りリンクＬＢＴは、基地局装置３からの上りリンク送信の指示がされた場合（上りリンクグラントを受信した場合）に、ＬＢＴの処理が開始される手順を含んでもよい。
【００３２】
上りリンクＬＢＴ手順のタイプ（LBT Type）はタイプ１（channel access Type 1）とタ
イプ２（channel access Type 2）に少なくとも分類される。上りリンクＬＢＴ手順のタ
イプ１はＬＢＴ  ｃａｔｅｇｏｒｙ４を含んでもよい。上りリンクＬＢＴ手順のタイプ２は２５マイクロ秒ＣＣＡ（LBT category 2）を含んでもよい。
【００３３】
タイプ１の上りリンクＬＢＴ手順は、端末装置１がファーストセンシング（first sensing、１度のＣＣＡ）を行ってチャネルがアイドルであったと判断した場合、その後端末
装置１がまたカウンタ（counter）に示される所定回数Ｎ回のＬＢＴを行う手順を含む。
【００３４】
詳しく言うと、ファーストセンシングでは、端末装置１は、デファ期間（defer duration）内のスロットデュレーション（slot duration）でチャネルセンシングを行い、他の
信号の有無かを感知する。ファーストセンシングを行った結果、チャネルがアイドルであったと判断した場合、端末装置１は以下のプロセスを行ってもよい。
（ｉ）端末装置１はコンテンションウィンドウ（contention window）の値に基づいて
ランダムにカウンタ値Ｎを生成する。
（ｉｉ）カウンタ値が０ではない場合には、端末装置１は、Ｎ＝Ｎ−１のように、カウンタ値Ｎを１つ減らす。
（ｉｉｉ）端末装置１は１つのスロットデュレーション（slot duration）でＬＢＴを
行い、そのチャネルがアイドルかビジーかを判断する。端末装置１がそのチャネルがアイドルと判断した場合、（ｉｖ）へ移行する。端末装置１がそのチャネルがビジーと判断した場合、（ｖ）へ移行する。
（ｉｖ）カウンタ値Ｎが０になった場合、端末装置１は、そのチャネルのアクセス権を獲得し、上りリンクの送信を行ってもよい。カウンタ値Ｎが０ではない場合、端末装置１は（ｉｉ）に戻る。
（ｖ）端末装置１は、１つのデファ期間（defer duration）内に含まれるすべてのスロットデュレーションでチャネルセンシングを行い、それらのチャネルがアイドルかビジーかを判断する。
端末装置１は、プロセス（ｖ）において、チャネルセンシングに基づき１つのデファ期間（defer duration）内に含まれるすべてのスロットデュレーションでチャネルがアイドルであると判断された場合、（ｉｖ）へ移行する。チャネルセンシングに基づき１つのデファ期間（defer duration）内に含まれる少なくとも１つのスロットデュレーションでチャネルがビジーであると判断された場合、（ｖ）に戻る。
【００３５】
ここで、スロットデュレーション（slot duration）Ｔｓｌは９マイクロ秒から９マイ
クロ秒＋Ｔｓまでの間であってもよい。デファ期間（defer duration）ＴｄはＴｆ＋ｍｐ＊Ｔｓｌに定義される。例えば、Ｔｆは１６マイクロ秒から１６マイクロ秒＋Ｔｓまでの間であってもよい。ｍｐの値はチャネルアクセスプライオリティクラス（channel access
priority class）に基づいて、決定される。チャネルアクセスプライオリティクラスは
上りリンクグラントによって通知されてもよい。また、チャネルアクセスプライオリティクラスはＲＲＣシグナリングによって通知されてもよい。ここで、Ｔｓはベーシックタイムユニット（basic time unit）であり、１／（１５０００＊２０４８）秒である。
【００３６】
タイプ２の上りリンクＬＢＴ手順において、少なくとも１つのセンシングインタバル（sensing interval）において実施されるＬＢＴに基づき、チャネルがアイドルかビジーかが与えられる。端末装置１がセンシングインタバルでチャネルがアイドルであったと判断した場合、端末装置１はそのチャネルのアクセス権を獲得し、上りリンクの送信を行ってもよい。また、端末装置１がセンシングインタバルでチャネルがビジーであったと判断した場合、端末装置１はそのチャネルのアクセス権を獲得せず、上りリンクの送信を行わなくてもよい。ここで、センシングインタバルは２５マイクロであってもよい。
【００３７】
次に本実施形態の物理チャネルおよび物理信号について説明する。
【００３８】
図１において、端末装置１から基地局装置３への上りリンクの無線通信（上りリンク送信）では、以下の上りリンク物理チャネルが用いられる。上りリンク物理チャネルは、上位層から出力された情報を送信するために使用される。
・ＰＵＳＣＨ（Physical Uplink Shared Channel）
・ＰＲＡＣＨ（Physical Random Access Channel）
・ＰＵＣＣＨ（Physical Uplink Control Channel）
【００３９】
ＰＵＳＣＨは、上りリンクデータ（Transport block, Uplink-Shared Channel: UL-SCH）、下りリンクのＣＳＩ（Channel State Information）、および／または、ＨＡＲＱ−
ＡＣＫ（Hybrid Automatic Repeat reQuest）を送信するために用いられる。ＣＳＩ、お
よび、ＨＡＲＱ−ＡＣＫは、上りリンク制御情報（Uplink Control Information: UCI）
である。
【００４０】
ＣＳＩは、チャネル品質指標（Channel Quality Indicator: CQI）、ＲＩ（Rank Indicator）、および、ＰＭＩ（Precoding Matrix Indicator）を含む。ＣＱＩは、ＰＤＳＣＨで送信される単一のトランスポートブロックに対する、変調方式と符号化率の組合せを表現する。ＲＩは、端末装置１によって決定される有効なレイヤーの数を示す。ＰＭＩは、端末装置１によって決定されるコードブックを示す。該コードブックは、ＰＤＳＣＨのプリコーディングに関連する。
【００４１】
ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対応する。ＨＡＲＱ−ＡＣＫは、ＡＣＫ（acknowledgement）
またはＮＡＣＫ（negative-acknowledgement）を示す。ＨＡＲＱ−ＡＣＫを、ＡＣＫ／ＮＡＣＫ、ＨＡＲＱフィードバック、ＨＡＲＱ応答、ＨＡＲＱ情報、または、ＨＡＲＱ制御情報とも称する。
【００４２】
ＰＲＡＣＨは、ランダムアクセスに用いられるプリアンブル（ランダムアクセスプリアンブル）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられる。ＰＲＡＣＨは、端末装置１が基地局装置３（または、セル）へアクセスするために用いられる。
【００４３】
ＰＵＣＣＨは、上りリンク制御情報（Uplink Control Information : UCI）を送信する
ために用いられる。ここで、上りリンク制御情報には、下りリンクに対するチャネル状態情報（Channel State Information : CSI）が含まれてもよい。また、上りリンク制御情
報には、ＵＬ−ＳＣＨのリソースを要求するために用いられるスケジューリング要求（Scheduling Request : SR）が含まれてもよい。また、上りリンク制御情報には、ＨＡＲＱ
−ＡＣＫ（Hybrid Automatic Repeat request ACKnowledgement）が含まれてもよい。
【００４４】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal : UL RS）
【００４５】
本実施形態において、以下の２つのタイプの上りリンク参照信号が用いられる。
・ＤＭＲＳ（Demodulation Reference Signal）
・ＳＲＳ（Sounding Reference Signal）
【００４６】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４７】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００４８】
図１において、基地局装置３から端末装置１への下りリンクの無線通信（下りリンク送信）では、以下の下りリンク物理チャネルが用いられる。下りリンク物理チャネルは、上位層から出力された情報を送信するために使用される。
・ＰＤＣＣＨ（Physical Downlink Control Channel）
・ＰＤＳＣＨ（Physical Downlink Shared Channel）
【００４９】
ＰＤＳＣＨは、下りリンクデータ（Transport block, Downlink-Shared Channel: DL-SCH）を送信するために用いられる。
【００５０】
ＰＤＣＣＨは、下りリンク制御情報（Downlink Control Information: DCI）を送信す
るために用いられる。下りリンク制御情報を、ＤＣＩフォーマットとも称する。下りリンク制御情報は、上りリンクグラント（uplink grant）、および、下りリンクグラント（downlink grant）を含む。上りリンクグラントは、単一のセル内の単一のＰＵＳＣＨのスケジューリングに用いられてもよい。上りリンクグラントは、単一のセル内の連続する複数のサブフレームにおける複数のＰＵＳＣＨのスケジューリングに用いられてもよい。上りリンクグラントは、該上りリンクグラントが送信されたサブフレームより４つ以上後のサブフレーム内の単一のＰＵＳＣＨのスケジューリングに用いられてもよい。下りリンクグラントは、単一のセル内の単一のＰＤＳＣＨのスケジューリングに用いられてもよい。下りリンクグラントを、下りリンクアサインメントとも称する。
【００５１】
ＤＣＩフォーマット０Ａは、ＬＡＡセルにおけるＰＵＳＣＨのスケジューリングのために用いられてもよい。ＤＣＩフォーマット０Ｂは、ＬＡＡセルにおける複数のサブフレームのそれぞれにおけるＰＵＳＣＨのスケジューリングのために用いられてもよい。ＤＣＩフォーマット０Ａ、および、ＤＣＩフォーマット０Ｂのそれぞれは、上りリンクグラント
を含む。ＤＣＩフォーマット０Ａ、および、ＤＣＩフォーマット０Ｂのそれぞれは、‘PUSCH trigger A’フィールド、 ‘Timing offset’フィールドを含んでもよい。ＤＣＩフ
ォーマット０Ａ、および、ＤＣＩフォーマット０Ｂのそれぞれは、ＰＵＳＣＨのスケジューリング情報を含んでもよい。ＰＵＳＣＨのスケジューリング情報は、ＰＵＳＣＨのためのリソースブロック割当を示すための情報、ＰＵＳＣＨのための送信電力制御コマンド、ＰＵＳＣＨのための変調方式を示すための情報、ＰＵＳＣＨのためのトランスポートブロックのサイズを示すための情報を含んでもよい。
【００５２】
ＤＣＩフォーマット１Ａは、ＬＡＡセルにおけるＰＤＳＣＨのスケジューリングのために用いられてもよい。ＤＣＩフォーマット１Ａは、下りリンクグラントを含む。
【００５３】
ＤＣＩフォーマット１Ｃは、ＬＡＡ共通情報のために用いられる。ＬＡＡ共通情報は、‘Uplink transmission duration and offset indication’、および／または、‘PUSCH trigger B’を含んでもよい。ＤＣＩフィーマット１Ｃは、上記のＰＵＳＣＨのスケジュ
ーリング情報を含まない。
【００５４】
１つのＰＤＣＣＨで送信される下りリンク制御情報に付加されるＣＲＣ（Cyclic Redundancy Check）パリティビットは、Ｃ−ＲＮＴＩ（Cell Radio Network Temporary Identifier）、Ｔｅｍｐｏｒａｒｙ  Ｃ−ＲＮＴＩ、ＲＡ−ＲＮＴＩ（Random Access Radio Network Temporary Identifier）、または、ＣＣ−ＲＮＴＩ（Common Control Radio Network Temporary Identifier）によってスクランブルされてもよい。
【００５５】
Ｃ−ＲＮＴＩは、セル内において端末装置を識別するための識別子である。Ｃ−ＲＮＴＩは、単一のサブフレームにおけるＰＤＳＣＨ送信、または、ＰＵＳＣＨ送信を制御するために用いられる。Ｃ−ＲＮＴＩは、動的にスケジュールされるユニキャスト送信（ＰＤＳＣＨ送信、または、ＰＵＳＣＨ送信）のために用いられる。基地局装置３は、端末装置１におけるＣ−ＲＮＴＩの決定のために用いられる情報を、端末装置１に送信してもよい。上りリンクグラント、または、下りリンクグラントを含むＤＣＩフォーマット（例えば、ＤＣＩフォーマット０Ａ、ＤＣＩフォーマット０Ｂ、ＤＣＩフォーマット１Ａなど）に付加されるＣＲＣパリティビットは、Ｃ−ＲＮＴＩによってスクランブルされてもよい。
【００５６】
Ｔｅｍｐｏｒａｒｙ  Ｃ−ＲＮＴＩは、コンテンションベースランダムアクセス手順（contention based random access procedure）の間に用いられる。Ｔｅｍｐｏｒａｒｙ  Ｃ−ＲＮＴＩは、単一のサブフレームにおけるＰＤＳＣＨ送信、または、ＰＵＳＣＨ送信を制御するために用いられる。
【００５７】
ＲＡ−ＲＮＴＩは、ランダムアクセス手順（contention based random access procedure）の間に用いられる。ＲＡ−ＲＮＴＩは、単一のサブフレームにおけるＰＤＳＣＨ送信を制御するために用いられる。
【００５８】
ＣＣ−ＲＮＴＩは、ＬＡＡ共通情報のために用いられる。ＣＣ−ＲＮＴＩの値は、仕様書などによって予め決められた値であってもよい。ＬＡＡ共通情報のために用いられるＤＣＩフォーマット１Ｃに付加されるＣＲＣパリティビットは、ＣＣ−ＲＮＴＩによってスクランブルされてもよい。
【００５９】
ＵＬ−ＳＣＨ、および、ＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称す
る。
【００６０】
本実施形態のＰＵＳＣＨ（ＵＬ−ＳＣＨ）に対して非同期ＨＡＲＱが適用されてもよい。
【００６１】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００６２】
同期信号は、端末装置１が下りリンクの周波数領域および時間領域の同期をとるために用いられる。
【００６３】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００６４】
以下、本実施形態の無線フレーム（radio frame）の構成について説明する。
【００６５】
図２は、本実施形態の無線フレームの概略構成を示す図である。図２において、横軸は時間軸である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００６６】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００６７】
スロットのそれぞれにおいて送信される物理信号または物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００６８】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００６９】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００７０】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい。また、サブキャリア間隔Δfは１５ｋＨｚ以外の周波数に設定されてもよい。例えば、
サブキャリア間隔は、３.７５ｋＨｚ、７．５ｋＨｚ、１５ｋＨｚ、３０ｋＨｚ、６０ｋ
Ｈｚ、１２０ｋＨｚ、２４０ｋＨｚ内の何れであってもよい。
【００７１】
リソースブロック（ＲＢ）は、物理チャネルのリソースエレメントへのマッピングを表すために用いられる。リソースブロックは、仮想リソースブロック（ＶＲＢ）と物理リソースブロック（ＰＲＢ）が定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシ
ンボルと周波数領域においてNRBscの連続するサブキャリアとから定義される。ゆえに、
１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号nPRB（0,1,…, NULRB-1）が付けられる。
【００７２】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて基本的に同じであるため、下りリンクのスロットの構成の説明は省略する。
【００７３】
以下、本実施形態における装置の構成について説明する。
【００７４】
図４は、本実施形態の基地局装置３の構成を示す概略ブロック図である。図示するように、基地局装置３は、上位層処理部１０１、プリアンブル検出部１０３、同期タイミング測定部１０５、制御部１０７、チャネル測定部１０８、受信処理部１０９、複数の受信アンテナ１０１３、送信処理部１１１、および、複数の送信アンテナ１０１４、を含んで構成される。また、上位層処理部１０１は、無線リソース制御部１０１１とランダムアクセス制御部１０１２を含んで構成される。尚、図４では、受信アンテナと送信アンテナとを別の構成としたが、信号の入出力を切り替える作用のあるサイリスタなどを用いてアンテナを共有するようにしてもよい。
【００７５】
上位層処理部１０１は、下りリンクコンポーネントキャリア毎のデータ情報を、送信処理部１１１に出力する。また、上位層処理部１０１は、パケットデータ統合プロトコル（Packet Data Convergence Protocol; PDCP）層、無線リンク制御（Radio Link Control; RLC）層、無線リソース制御（Radio Resource Control; RRC）層の処理を行なう。上位層処理部１０１の無線リソース制御部１０１１は、端末装置１各々の各種設定情報、通信状態、および、バッファ状況の管理などを行っている。上位層処理部１０１のランダムアクセス制御部１０１２は、端末装置１各々のランダムアクセスに関する制御を行なっている。
【００７６】
上記の処理において、上位層処理部１０１が備える無線リソース制御部１０１１は、基地局装置３が無線通信に用いることのできる下りリンクコンポーネントキャリアと上りリンクコンポーネントキャリアの数、および端末装置１が同時に送信、または受信することのできる下りリンクコンポーネントキャリアと上りリンクコンポーネントキャリアの数などに応じて、複数の上りリンクコンポーネントキャリアと下りリンクコンポーネントキャ
リアを端末装置１に割り当てる。
【００７７】
無線リソース制御部１０１１は、各下りリンクコンポーネントキャリアの各チャネルに配置する情報を生成、または上位ノードから取得し、下りリンクコンポーネントキャリア毎に送信処理部１１１に出力する。例えば、無線リソース制御部１０１１は、下りリンク制御情報、データ情報の一種であるランダムアクセスレスポンスを生成し、送信処理部１１１に出力する。
【００７８】
無線リソース制御部１０１１は、端末装置１に割り当てた上りリンクコンポーネントキャリアの無線リソースの中から、端末装置１がＰＵＳＣＨＰＵＳＣＨ（データ情報）を配置する無線リソースを端末装置１に割り当てる。また、無線リソース制御部１０１１は、端末装置１に割り当てた下りリンクコンポーネントキャリアの無線リソースの中から、端末装置１に対するＰＤＳＣＨ（データ情報）を配置する無線リソースを割り当てる。無線リソース制御部１０１１は、当該無線リソースの割り当てを示す下りリンクグラントと上りリンクグラントを生成し、送信処理部１１１を介して端末装置１に送信する。また、無線リソース制御部１０１１は、当該下りリンクグラントと上りリンクグラントに、下りリンクグラントまたは上りリンクグラントが対応する端末装置１に割り当てたＣ−ＲＮＴＩを含める。
【００７９】
無線リソース制御部１０１１は、ランダムアクセス制御部１０１２からの制御情報に基づいて、ランダムアクセス処理の開始を指示するＰＤＣＣＨを生成する。無線リソース制御部１０１１は、ランダムアクセス処理の開始を指示する端末装置１に割り当てた下りリンクコンポーネントキャリアのチャネル品質やＰＤＣＣＨのオーバーヘッドなどに基づき、任意の１つの下りリンクコンポーネントキャリアを選択し、選択した下りリンクコンポーネントキャリアでランダムアクセス処理の開始を指示するＰＤＣＣＨを、送信処理部１１１を介して端末装置１に送信する。また、無線リソース制御部１０１１は、ランダムアクセス処理の開始を指示するＰＤＣＣＨに、当該ＰＤＣＣＨが対応する端末装置１に割り当てた下りリンクコンポーネントキャリアに対応するＰＲＡＣＨの無線リソースを示す情報、プリアンブルのインデックスの番号を示す情報、およびＣ−ＲＮＴＩを含める。
【００８０】
無線リソース制御部１０１１は、ランダムアクセス制御部１０１２からの制御情報に基づいて、１つの下りリンクコンポーネントキャリアを選択し、選択した下りリンクコンポーネントキャリア内の無線リソースの中からランダムアクセスレスポンスを配置する無線リソースを割り当てる。また、無線リソース制御部１０１１は、当該無線リソースの割り当てを示す下りリンクグラントに、ランダムアクセス制御部１０１２から入力されたＲＡ−ＲＮＴＩを含める。
【００８１】
無線リソース制御部１０１１は、ランダムアクセス制御部１０１２からの制御情報に基づいて、１つの上りリンクコンポーネントキャリアを選択し、選択した上りリンクコンポーネントキャリア内の無線リソースの中からメッセージ３を配置する無線リソースを割り当てる。また、無線リソース制御部１０１１は、当該無線リソースの割り当てを示す上りリンクグラントを生成し、ランダムアクセスレスポンスに含め、送信処理部１１１を介して端末装置１に送信する。尚、ランダムアクセスレスポンスに含まれる上りリンクグラントは、巡回冗長検査符号と端末装置識別子が含まれない。ランダムアクセスレスポンスには、ランダムアクセス制御部１０１２から入力された複数のプリアンブル各々に対する同期タイミングのずれ量とＴｅｍｐｏｒａｒｙ  Ｃ−ＲＮＴＩと、無線リソース制御部１０１１が生成した上りリンクグラントが含まれている。
【００８２】
無線リソース制御部１０１１は、端末装置１からＰＵＣＣＨで通知された上りリンク制御情報（ACK/NACK、チャネル品質情報、スケジューリング要求）、および端末装置１のバ
ッファの状況や無線リソース制御部１０１１が設定した端末装置１各々の各種設定情報に基づき、受信処理部および送信処理部の制御を行なうために制御情報を生成し、制御部に出力する。
【００８３】
上記の処理において、上位層処理部１０１が備えるランダムアクセス制御部１０１２は、メッセージの一部、または全部を送受信する上りリンクコンポーネントキャリアと下りリンクコンポーネントキャリアのペア、上りリンクコンポーネントキャリア内のＰＲＡＣＨの構成（ＰＲＡＣＨの無線リソースの割り当てなど）やランダムアクセスの送信状況を示す情報（ランダムアクセス負荷）などのランダムアクセスに関する情報を含む報知情報、ランダムアクセスレスポンス、コンテンションレゾリューションなどを生成し、送信処理部１１１を介して端末装置１に送信するよう、無線リソース制御部１０１１に制御情報を出力する。
【００８４】
ランダムアクセス制御部１０１２は、ランダムアクセスの送信状況や上りリンクコンポーネントキャリアのチャネル品質などに基づいて端末装置１各々にランダムアクセス処理を開始することができる特定の下りリンクコンポーネントキャリアに対応するＰＲＡＣＨを設定し、設定した特定の下りリンクコンポーネントキャリアを示す情報を生成し、当該情報を無線リソース制御信号などに含め、送信処理部１１１を介して端末装置１各々に送信するよう、無線リソース制御部１０１１に制御情報を出力する。
【００８５】
ランダムアクセス制御部１０１２は、端末装置１に送信するデータ情報があるが、基地局装置３と端末装置１間の同期がはずれている場合などに、端末装置１にランダムアクセス処理の開始を指示することを決定する。ランダムアクセス制御部は、端末装置１に設定した特定の下りリンクコンポーネントキャリアに対応するＰＲＡＣＨの無線リソースとプリアンプルを割り当てる。ランダムアクセス制御部１０１２は、端末装置１にランダムアクセス処理の開始を指示するＰＤＣＣＨを生成し、送信処理部１１１に出力するよう、無線リソース制御部１０１１に制御情報を出力する。
【００８６】
ランダムアクセス制御部１０１２は、プリアンブル検出部１０３から入力された、ＰＲＡＣＨの情報とプリアンプルの番号と同期タイミングのずれ量に基づき、プリアンプルの番号と同期タイミングのずれ量を無線リソース制御部１０１１に出力し、無線リソース制御部１０１１にランダムアクセスレスポンスを生成するよう、無線リソース制御部１０１１に制御情報を出力する。また、ランダムアクセス制御部１０１２は、プリアンブル検出部１０３から入力されたプリアンプルを検出したＰＲＡＣＨの情報から、ＲＡ−ＲＮＴＩを算出し、無線リソース制御部１０１１に出力する。
【００８７】
ランダムアクセス制御部１０１２は、プリアンブル検出部１０３から入力されたプリアンプルを検出したＰＲＡＣＨの情報に基づき、プリアンブルが検出された上りリンクコンポーネントキャリアとペアの下りリンクコンポーネントキャリアを選択し、選択した下りリンクコンポーネントキャリアでランダムアクセスレスポンスを送信するよう、無線リソース制御部１０１１に制御情報を出力する。また、ランダムアクセス制御部１０１２は、プリアンブルが検出された上りリンクコンポーネントキャリアを選択し、選択した上りリンクコンポーネントキャリアの無線リソースの中からメッセージ３を送信する無線リソースを割り当てるよう、無線リソース制御部１０１１に制御情報を出力する。
【００８８】
ランダムアクセス制御部１０１２は、ランダムアクセスレスポンスで無線リソースを割り当てたメッセージ３を送信した端末装置３に対して、下りリンクコンポーネントキャリアでコンテンションレゾリューションを送信するよう、無線リソース制御部１０１１に制御情報を出力する。
【００８９】
制御部１０７は、上位層処理部１０１からの制御情報に基づいて、受信処理部１０９、および送信処理部１１１の制御を行なう制御信号を生成する。制御部１０７は、生成した制御信号を受信処理部１０９、および送信処理部１１１に出力して受信処理部１０９、および送信処理部１１１の制御を行なう。
【００９０】
受信処理部１０９は、制御部から入力された制御信号に従って、受信アンテナを介して端末装置１から受信した受信信号を分離、復調、復号し、復号した情報を上位層処理部１０１に出力する。また、受信処理部１０９は、分離した上りリンク参照信号を同期タイミング測定部１０５に出力し、分離したＰＲＡＣＨをプリアンブル検出部１０３に出力する。
【００９１】
具体的には、受信処理部１０９は、各受信アンテナを介して受信した各上りリンクコンポーネントキャリアの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。受信処理部１０９は、変換したディジタル信号からガードインターバル（Guard Interval; GI）に相当する部分を除去する。受信処理部１０９は、ガードインターバルを除去した信号に対して高速フーリエ変換（Fast Fourier Transform; FFT
）を行い、周波数領域の信号を抽出する。
【００９２】
受信処理部１０９は、抽出した信号を上りリンクコンポーネントキャリア毎に、ＰＲＡＣＨ、ＰＵＣＣＨ、ＰＵＳＣＨ、ＤＭＲＳおよびＳＲＳに配置された信号に、それぞれ分離する。尚、この分離は、予め基地局装置３が決定して各端末装置１に通知した無線リソースの割当情報に基づいて行われる。また、受信処理部１０９は、分離した上りリンク参照信号から伝搬路の推定値を求め、ＰＵＣＣＨとＰＵＳＣＨの伝搬路の補償を行なう。
【００９３】
受信処理部１０９は、分離したＰＲＡＣＨをプリアンブル検出部１０３に出力し、分離した上りリンク参照信号を同期タイミング測定部１０５に出力する。受信処理部１０９は、ＰＵＳＣＨを逆離散フーリエ変換（Inverse Discrete Fourier Transform; IDFT）し、変調シンボルを取得し、ＰＵＣＣＨとＰＵＳＣＨの変調シンボルそれぞれに対して、２位相偏移変調（Binary Phase Shift Keying; BPSK）、４相位相偏移変調（Quadrature Phase Shift Keying; QPSK）、１６値直交振幅変調（16Quadrature Amplitude Modulation;16QAM）、６４値直交振幅変調（64Quadrature Amplitude Modulation; 64QAM）等の予め定
められた、または基地局装置３が端末装置１各々に上りリンクグラントで予め通知した変調方式を用いて受信信号の復調を行なう。
【００９４】
受信処理部１０９は、復調したＰＵＣＣＨとＰＵＳＣＨの符号化ビットを、予め定められた符号化方式の、予め定められた、または基地局装置３が端末装置１に上りリンクグラントで予め通知した符号化率で復号を行ない、データ情報と、上りリンク制御情報を上位層処理部１０１へ出力する。受信処理部１０９は、端末装置１から受信した上りリンク参照信号やＰＵＳＣＨの受信信号の電力などを測定し、上りリンクコンポーネントキャリアのチャネルの受信品質を測定し、上位層処理部１０１に出力する。
【００９５】
プリアンブル検出部１０３は、受信処理部１０９から入力されたＰＲＡＣＨの無線リソースから複数のプリアンブルを検出し、プリアンブル各々から同期タイミングずれ量を算出し、プリアンプルを検出したＰＲＡＣＨの情報とプリアンプルの番号と同期タイミングのずれ量を上位層処理部１０１に出力する。また、定期的にプリアンブルの受信数から端末装置１のランダムアクセス送信状況も上位層処理部１０１に通知する。同期タイミング測定部１０５は、同期維持のために受信処理部１０９から入力された上りリンク参照信号を測定して、同期タイミングのずれを測定し、測定結果を上位層処理部１０１に報告する
。
【００９６】
送信処理部１１１は、制御部１０７から入力された制御信号に従って、下りリンク参照信号を生成し、上位層処理部１０１から入力されたデータ情報、下りリンク制御情報を符号化、および変調し、ＰＤＣＣＨ、およびＰＤＳＣＨに配置し、生成した下りリンク参照信号と多重して、送信アンテナを介して端末装置１に信号を送信する。
【００９７】
具体的には、送信処理部１１１は、上位層処理部１０１から入力された下りリンクコンポーネントキャリア各々の下りリンク制御情報、およびデータ情報を、制御部１０７から入力された制御信号に従って、ターボ符号化、畳込み符号化、ブロック符号化等の符号化を行い、符号化ビットをＱＰＳＫ、１６ＱＡＭ、６４ＱＡＭ等の変調方式で変調する。また、基地局装置３を識別するためのセル識別子（Cell ID）などを基に予め定められた規
則で求まる、端末装置１が既知の系列を下りリンク参照信号として生成し、ＰＤＣＣＨとＰＤＳＣＨと下りリンク参照信号を多重する。
【００９８】
送信処理部１１１は、多重した変調シンボルを逆高速フーリエ変換（Inverse Fast Fourier Transform; IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。
【００９９】
なお、ＬＡＡセルで運用される基地局装置３は、ＬＢＴ手順を行い、チャネルがアイドルかビジーかを判定するチャネル測定部１０８を含んで構成される。チャネル測定部１０８は、受信アンテナ１０１３からの受信電力を用いて判定する方法や、受信処理部１０９からの特定の信号を検出したか否かで判定する方法などが実装される。チャネル測定部１０８の判定結果は制御部１０７に送られ、送信の制御に用いられる。
【０１００】
図５は、本実施形態の端末装置１の構成を示す概略ブロック図である。図示するように、端末装置１は、上位層処理部２０１、制御部２０３、受信処理部２０５、複数の受信アンテナ２０１３、プリアンブル生成部２０７、チャネル測定部２０８、送信処理部２０９、および、複数の送信アンテナ２０１４、を含んで構成される。また、上位層処理部２０１は、無線リソース制御部２０１１とランダムアクセス処理部２０１２を含んで構成される。尚、図５では、受信アンテナと送信アンテナとを別の構成としたが、信号の入出力を切り替える作用のあるサイリスタなどを用いてアンテナを共有するようにしてもよい。
【０１０１】
上位層処理部２０１は、ユーザの操作等により生成された上りリンクコンポーネントキャリア毎のデータ情報を、送信処理部２０９に出力する。また、上位層処理部２０１は、パケットデータ統合プロトコル層、無線リンク制御層、無線リソース制御層の処理を行なう。上位層処理部２０１が備える無線リソース制御部２０１１は、自装置の各種設定情報、通信状態、および、バッファ状況の管理などを行っている。上位層処理部２０１のランダムアクセス処理部２０１２は、自装置のランダムアクセスに関する制御を行なっている。
【０１０２】
上記の処理において、上位層処理部２０１が備える無線リソース制御部２０１１は、自装置が割り当てられた下りリンクコンポーネントキャリアと上りリンクコンポーネントキャリア、Ｃ−ＲＮＴＩなどの各種設定情報の管理を行なう。また、無線リソース制御部２０１１は、各上りリンクコンポーネントキャリアの各チャネルに配置する情報を生成し、上りリンクコンポーネントキャリア毎に送信処理部２０９に出力する。例えば、無線リソ
ース制御部２０１１は、ランダムアクセスレスポンスでメッセージ３の無線リソースを割り当てられた場合、メッセージ３で送信する情報を生成し、送信処理部２０９に出力する。
【０１０３】
無線リソース制御部２０１１は、基地局装置３からＰＤＣＣＨで通知された下りリンク制御情報（例えば、下りリンクグラント、上りリンクグラント）や、ランダムアクセスで通知されたメッセージ３に対する上りリンクグラント、無線リソース制御部２０１１が管理する自装置の各種設定情報に基づき、受信処理部２０５、および送信処理部２０９の制御を行なうために制御情報を生成し、制御部２０３に出力する。
【０１０４】
上記の処理において、上位層処理部２０１が備えるランダムアクセス処理部２０１２は、基地局装置３が報知する、ランダムアクセスに関するメッセージの一部、または全部を送受信する上りリンクコンポーネントキャリアと下りリンクコンポーネントキャリアのペア、下りリンクコンポーネントキャリアが対応するＰＲＡＣＨの構成やランダムアクセスの送信状況を示す情報などのランダムアクセスに関する情報、および基地局装置３から通知される、ランダムアクセス処理を開始することができる特定の下りリンクコンポーネントキャリアに対応するＰＲＡＣＨを示す情報を管理している。ランダムアクセス処理部２０１２は、自装置が基地局装置３からランダムアクセス処理の開始を指示するＰＤＣＣＨを受信した場合、および上りリンクで送信するデータ情報があるが、基地局装置３から上りリンクの無線リソースを割り当てられていない場合、ランダムアクセスを開始する。
【０１０５】
ランダムアクセス処理部２０１２は、基地局装置３からのＰＤＣＣＨでランダムアクセスを開始するよう指示され、プリアンプルの番号と、下りリンクコンポーネントキャリアに対応するＰＲＡＣＨの無線リソースを指定された場合、基地局装置３に設定された特定の下りリンクコンポーネントキャリアに対応するＰＲＡＣＨの無線リソースの中から、ランダムアクセス処理の開始を指示するＰＤＣＣＨで指定されたＰＲＡＣＨとプリアンプルを選択する。
【０１０６】
また、ランダムアクセス処理部２０１２は、ランダムアクセス処理の開始を指示するＰＤＣＣＨでプリアンプルの番号とＰＲＡＣＨの無線リソースを指定されていない場合、またはランダムアクセス処理部２０１２がランダムアクセス処理の開始を決定した場合、基地局装置３に設定されたランダムアクセス処理を開始することができる特定の下りリンクコンポーネントキャリアに対応するＰＲＡＣＨの無線リソースの中からランダムに無線リソースを選択し、下りリンクのチャネル品質の情報などから、選択するＣｏｎｔｅｎｔｉｏｎ  ｂａｓｅｄ  Ｒａｎｄｏｍ  Ａｃｃｅｓｓ用のプリアンプルの範囲を決定し、選択したプリアンプルの範囲の中からプリアンプルをランダムに選択する。これにより、端末装置１は、基地局装置３が上りリンクコンポーネントキャリアのチャネル品質およびＰＲＡＣＨの送信状況などに基づいて予め割り当てた特定の下りリンクコンポーネントキャリアに対応する適切なランダムアクセスリソースでＣｏｎｔｅｎｔｉｏｎ  ｂａｓｅｄ  Ｒａｎｄｏｍ  Ａｃｃｅｓｓを行なうことができる。
【０１０７】
また、ランダムアクセス処理部２０１２は、選択したプリアンプルを含むプリアンブルをプリアンブル生成部２０７が生成するよう、制御部２０３に制御情報を出力し、選択したＰＲＡＣＨの無線リソースで送信処理部２０９がプリアンブルを送信するよう、制御部２０３に制御情報を出力する。
【０１０８】
ランダムアクセス処理部２０１２は、プリアンブルを送信した無線リソースに対応するＲＡ−ＲＮＴＩを算出する。また、ランダムアクセス処理部２０１２は、プリアンブルを送信してから予め定められた期間であるランダムアクセスレスポンス受信期間、プリアンブルを送信した上りリンクコンポーネントキャリアとペアの下りリンクコンポーネントキ
ャリアで、算出したＲＡ−ＲＮＴＩを含む下りリンクグラントを、受信処理部２０５が監視するよう、制御部２０３に制御情報を出力する。
【０１０９】
ランダムアクセス処理部２０１２は、基地局装置３からプリアンプルの番号を指定されている場合、算出したＲＡ−ＲＮＴＩを含む下りリンクグラントが無線リソースの割り当てを示すランダムアクセスレスポンスにおいて、基地局装置３から指定されたプリアンプルの番号が含まれていた際にランダムアクセスに成功した判定し、ランダムアクセス処理に関する処理を終了する。
【０１１０】
ランダムアクセス処理部２０１２は、基地局装置３からプリアンプルの番号を指定されていない場合、算出したＲＡ−ＲＮＴＩを含む下りリンクグラントが無線リソースの割り当てを示すランダムアクセスレスポンスから、自装置が送信したプリアンブルに含まれるプリアンプルの番号を検出し、検出したプリアンプルの番号に対応する、同期タイミングのずれ量とＴｅｍｐｏｒａｒｙ  Ｃ−ＲＮＴＩとメッセージ３の無線リソースの割り当てを示す上りリンクグラントを取得する。また、ランダムアクセス処理部２０１２は、同期タイミングのずれ量に基づき、送信処理部２０９の上りリンクの信号の送信タイミングを調整するよう、制御部２０３に制御情報を出力する。
【０１１１】
また、ランダムアクセス処理部２０１２は、ランダムアクセスレスポンスに含まれる自装置宛ての上りリンクグラントを無線リソース制御部２０１１に出力する。また、ランダムアクセス処理部２０１２は、基地局装置３に割り当てられたＣ−ＲＮＴＩ、または接続要求などの情報を含むメッセージ３を生成するよう、無線リソース制御部２０１１に制御情報を出力する。
【０１１２】
ランダムアクセス処理部２０１２は、メッセージ３を送信してから予め定められた期間であるコンテンションレゾリューション受信期間、基地局装置３に割り当てられた下りリンクコンポーネントキャリアでコンテンションレゾリューションの監視をし、下りリンクコンポーネントキャリアでコンテンションレゾリューションを検出した場合、ランダムアクセスに成功したと判定し、ランダムアクセスに関する処理を終了する。
【０１１３】
制御部２０３は、上位層処理部２０１からの制御情報に基づいて、受信処理部２０５、プリアンブル生成部２０７、および送信処理部２０９の制御を行なう制御信号を生成する。制御部２０３は、生成した制御信号を受信処理部２０５、プリアンブル生成部２０７、および送信処理部２０９に出力して受信処理部２０５、プリアンブル生成部２０７、および送信処理部２０９の制御を行なう。
【０１１４】
受信処理部２０５は、制御部２０３から入力された制御信号に従って、受信アンテナを介して基地局装置３から受信した受信信号を、復調、復号し、復号した情報を上位層処理部２０１に出力する。また、受信処理部２０５は、検出した下りリンク参照信号の受信品質等に基づいて、チャネル品質情報を生成し、上位層処理部２０１、および送信処理部２０９に出力する。
【０１１５】
具体的には、受信処理部２０５は、各受信アンテナを介して受信した各上りリンクコンポーネントキャリアの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。受信処理部２０５は、変換したディジタル信号からガードインターバルに相当する部分を除去する。受信処理部２０５は、ガードインターバルを除去した信号に対して高速フーリエ変換を行い、周波数領域の信号を抽出する。
【０１１６】
受信処理部２０５は、抽出した信号を下りリンクコンポーネントキャリア毎に、ＰＤＣＣＨ、ＰＤＳＣＨ、および下りリンク参照信号に配置された信号に、それぞれ分離する。尚、この分離は、下りリンクグラントで通知された無線リソースの割り当て情報などに基づいて行われる。また、受信処理部２０５は、分離した下りリンク参照信号から伝搬路の推定値を求め、ＰＤＣＣＨとＰＤＳＣＨの伝搬路の補償を行なう。また、受信処理部２０５は、分離した下りリンク参照信号の受信品質等に基づいて、チャネル品質情報を生成し、上位層処理部２０１、および送信処理部２０９に出力する。
【０１１７】
受信処理部２０５は、ＰＤＣＣＨに対して、ＱＰＳＫ変調方式の復調を行ない、自装置が基地局装置３に割り当てられたＣ−ＲＮＴＩを含む下りリンクグラントと上りリンクグラント、および自装置がプリアンブルを送信したＰＲＡＣＨの無線リソースに対応するＲＡ−ＲＮＴＩを含む下りリンクグラントを監視し、復号を試みる。受信処理部２０５は、ＰＤＣＣＨの復号に成功した場合、復号した下りリンク制御情報を上位層処理部２０１に出力する。受信処理部２０５は、ＰＤＳＣＨに対して、ＱＰＳＫ、１６ＱＡＭ、６４ＱＡＭ等の下りリンクグラントで通知された変調方式の復調を行ない、下りリンクグラントで通知された符号化率に対する復号を行い、復号したデータ情報を上位層処理部２０１へ出力する。
【０１１８】
プリアンブル生成部２０７は、制御部２０３から入力された制御信号に従って、ランダムアクセス処理部２０１２が選択したプリアンプルを含んだプリアンブルを生成し、送信処理部２０９に出力する。
【０１１９】
送信処理部２０９は、制御部２０３から入力された制御信号に従って、上りリンク参照信号を生成し、上位層処理部２０１から入力されたデータ情報、および受信処理部２０５から入力されたチャネル品質情報、を符号化および変調し、ＰＵＳＣＨ、およびＰＵＣＣＨに配置し、生成した上りリンク参照信号と多重して、送信アンテナを介して基地局装置３に送信する。また、送信処理部２０９は、制御部２０３から入力された制御信号に従って、プリアンブル生成部２０７から入力されたプリアンブルを、ＰＲＡＣＨに配置し、送信アンテナを介して基地局装置３に送信する。
【０１２０】
具体的には、送信処理部２０９は、上位層処理部２０１と受信処理部２０５から入力された各上りリンクコンポーネントキャリアの上りリンク制御情報、およびデータ情報を、制御部２０３から入力された制御信号に従って、ターボ符号化、畳込み符号化、ブロック符号化等の符号化を行い、符号化ビットをＢＰＳＫ、ＱＰＳＫ、１６ＱＡＭ、６４ＱＡＭ等の変調方式で変調する。
【０１２１】
送信処理部２０９は、基地局装置３を識別するためのセル識別子などを基に予め定められた規則で求まる、基地局装置３が既知の系列を上りリンク参照信号として生成する。送信処理部２０９は、ＰＵＣＣＨの変調シンボルを符号で拡散し、ＰＵＳＣＨの変調シンボルを並列に並び替えてから離散フーリエ変換（Discrete Fourier Transform; DFT）し、
生成した上りリンク参照信号と多重する。また、送信処理部２０９は、プリアンブル生成部２０７から入力されたプリアンブルを、ＰＲＡＣＨに配置する。
【０１２２】
送信処理部２０９は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送信アンテナに出力して送信する。
【０１２３】
なお、ＬＡＡセルで運用される端末装置１は、ＬＢＴ手順を行い、チャネルがアイドルかビジーかを判定するチャネル測定部２０８を含んで構成される。チャネル測定部２０８は、受信アンテナ２０１３からの受信電力を用いて判定する方法や、受信処理部２０５からの特定の信号を検出したか否かで判定する方法などが実装される。チャネル測定部２０８の判定結果は制御部２０３に送られ、送信の制御に用いられる。
【０１２４】
端末装置１が備える符号２０１から符号２０１４が付された部のそれぞれは、回路として構成されてもよい。基地局装置３が備える符号１０１から符号１０１４が付された部のそれぞれは、回路として構成されてもよい。
【０１２５】
以下、ＬＡＡセルにおけるＰＵＳＣＨ送信タイミングについて詳しく説明をする。
【０１２６】
ＤＣＩフォーマット０Ａ、および、ＤＣＩフォーマット０Ｂのそれぞれは、‘PUSCH trigger A’フィールド、および、‘Timing offset’フィールドを含む。ＤＣＩフォーマット０Ｂは、‘number of scheduled subframes’フィールドを含む。‘PUSCH trigger A’フィールがマップされる情報ビットを‘PUSCH trigger A’とも称する。‘PUSCH trigger
A’フィールがマップされる情報ビットの値を、‘PUSCH trigger A’フィールドの値と
も称する。その他のフィールドに対しても同様である。
【０１２７】
ＤＣＩフォーマット１Ｃは、‘Uplink transmission duration and offset indication’フィールド、および／または、‘PUSCH trigger B’フィールドを含んでもよい。
【０１２８】
サブフレームｎにおいて０にセットされた‘PUSCH trigger A’フィールドを含むＤＣ
Ｉフォーマット０Ａを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。サブフレームｎにおいて０にセットされた‘PUSCH trigger A’フィールドを含むＤＣＩフ
ォーマット０Ｂを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。
【０１２９】
サブフレームｎ−ｖからサブフレームｎ−１までの間に１にセットされた‘PUSCH trigger A’フィールドを含むＤＣＩフォーマット０Ａを含むＰＤＣＣＨを検出し、且つ、サ
ブフレームｎにおいてＤＣＩフォーマット１Ｃを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。サブフレームｎ−ｖからサブフレームｎ−１までの間に１にセットされた‘PUSCH trigger A’フィールドを含むＤＣＩフォーマット０Ｂを含むＰＤＣＣ
Ｈを検出し、且つ、サブフレームｎにおいてＤＣＩフォーマット１Ｃを含むＰＤＣＣＨを検出した場合、端末装置１はサブフレームｎ＋ｋ＋ｌ＋ｉ（ｉ＝０、１、．．．、Ｎ−１）においてＰＵＳＣＨ送信を実行してもよい。ここで、サブフレームｎ−ｖからサブフレームｎ−１までの間は、サブフレームｎ−ｖ、および／または、サブフレームｎ−１を含む。ここで、ＤＣＩフォーマット１Ｃに含まれる‘Uplink transmission duration and offset indication’フィールド、および／または、‘PUSCH trigger B’フィールドは、
特定の値にセットされている。例えば、‘PUSCH trigger B’フィールドは１にセットさ
れていてもよい。例えば、‘Uplink transmission duration and offset indication’フィールドは、所定の値以外の値にセットされていてもよい。ここで、所定の値は０００００および１１１１１であってもよい。‘Uplink transmission duration and offset indication’フィールド、および／または、‘PUSCH trigger B’フィールドが特定の値にセ
ットされていることを、‘Uplink transmission duration and offset indication’フィールド、および／または、‘PUSCH trigger B’フィールドがＰＵＳＣＨ送信をトリガー
するようにセットされているとも称する。
【０１３０】
ｉは０からＮ−１の整数である。Ｎの値は０より大きい整数である。ＤＣＩフォーマット０Ａに対して、Ｎの値は１である。ＤＣＩフォーマット０Ｂに対して、Ｎの値はＤＣＩフォーマット０Ｂにおける‘number of scheduled subframes’フィールドによって決定
される。
【０１３１】
‘PUSCH trigger A’フィールドが０にセットされている場合、ｋの値は‘Timing offset’フィールドの値によって決定されてもよい。‘PUSCH trigger A’フィールドが１に
セットされている場合、ｋの値は‘Timing offset’フィールドの第１および第２の情報
ビットの値によって決定されてもよい。
【０１３２】
ｖは有効期間（validation duration）の長さである。有効期間を時間ウインドウ（time window）とも称する。‘PUSCH trigger A’フィールドが１にセットされている場合、
‘Timing offset’フィールドの第３および第４の情報ビットの値はｖを示すために用い
られる。‘PUSCH trigger A’フィールドが１にセットされている場合、‘Timing offset’フィールドの第３および第４の情報ビットに、‘validation duration’フィールドが
マップされてもよい。
【０１３３】
サブフレームｎ−ｖにおいて１にセットされた‘PUSCH trigger A’フィールドを含む
ＤＣＩフォーマット０Ａ／０Ｂを含むＰＤＣＣＨを検出し、且つ、サブフレームｎまでにおいてＤＣＩフォーマット１Ｃを含むＰＤＣＣＨを検出しなかった場合、端末装置１は該ＤＣＩフォーマット０Ａ／０Ｂに対応するＰＵＳＣＨ送信を破棄してもよい。ここで、ＤＣＩフォーマット１Ｃに含まれる‘Uplink transmission duration and offset indication’フィールド、および／または、‘PUSCH trigger B’フィールドは、特定の値にセッ
トされている。サブフレームｎ−ｖにおいて１にセットされた‘PUSCH trigger A’フィ
ールドを含むＤＣＩフォーマット０Ａ／０Ｂを含むＰＤＣＣＨを検出してから、‘Uplink
transmission duration and offset indication’フィールド、および／または、‘PUSCH trigger B’フィールドが特定の値にセットされているＤＣＩフォーマット１Ｃを検出
するまでの間、トリガーされるＰＵＳＣＨ送信（triggered PUSCH transmission）がペンディングされている。サブフレームｎ−ｖにおいて１にセットされた‘PUSCH trigger A
’フィールドを含むＤＣＩフォーマット０Ａ／０Ｂを含むＰＤＣＣＨを検出してから、ＰＵＳＣＨ送信が破棄されるまでの間、トリガーされるＰＵＳＣＨ送信（triggered PUSCH transmission）がペンディングされている。すなわち、１にセットされた‘PUSCH trigger A’フィールドを含むＤＣＩフォーマット０Ａ／０ＢによってスケジュールされたＰＵ
ＳＣＨは、該ＤＣＩフォーマット０Ａ／０Ｂにおける‘Timing offset’フィールドの第
３および第４の情報ビットによって示される有効期間において有効である。すなわち、１にセットされた‘PUSCH trigger A’フィールドを含むＤＣＩフォーマット０Ａ／０Ｂに
よってスケジュールされたＰＵＳＣＨは、該ＤＣＩフォーマット０Ａ／０Ｂにおける‘Timing offset’フィールドの第３および第４の情報ビットによって示される有効期間にお
いて有効である。すなわち、‘Uplink transmission duration and offset indication’フィールド、および／または、‘PUSCH trigger B’フィールドが特定の値にセットされ
ているＤＣＩフォーマット１ＣによってトリガーされるＰＵＳＣＨのスケジューリングは、有効期間において有効である。
【０１３４】
‘PUSCH trigger A’フィールドが０にセットされている場合、ｌの値は所定の値（例
えば、４）であってもよい。‘PUSCH trigger A’フィールドが１にセットされている場
合、ｌの値は上りリンクオフセット（UL offset）である。ここで、上りリンクオフセッ
トは、ＤＣＩフォーマット１Ｃに含まれる‘Uplink transmission duration and offset indication’フィールドによって決定されてもよい。
【０１３５】
図６は、本実施形態におけるＰＵＳＣＨのスケジューリングの一例を示す図である。図６において、横軸は時間領域（サブフレーム番号）を示す。図６の（Ａ）および（Ｂ）のそれぞれにおいて、１つまでのＤＣＩフォーマット０Ａ／０Ｂ、１つのまでのＤＣＩフォーマット１Ｃ、および、１つまでのＰＵＳＣＨが在る。複数のＤＣＩフォーマット０Ａ／０Ｂ、複数のＤＣＩフォーマット１Ｃ、および／または、複数のＰＵＳＣＨが在る場合、本実施形態とは、異なる動作が適用されてもよい。
【０１３６】
ＤＣＩフォーマット０Ａ／０Ｂ（６００）は、ＤＣＩフォーマット０Ａ、または、ＤＣＩフォーマット０Ｂである。図６においてＮは１である。すなわち、ｉは０である。
【０１３７】
図６の（Ａ）において、ＤＣＩフォーマット０Ａ／０Ｂ（６００）に含まれる‘PUSCH trigger A’フィールドは０にセットされている。ＤＣＩフォーマット０Ａ／０Ｂ（６０
０）はサブフレームｎにおいて送信される。ＰＵＳＣＨ（６０１）は、上りリンクグラント（６００）によってスケジュールされる。ＰＵＳＣＨ（６０１）の送信は、サブフレームｎ＋ｋ＋ｌ＋ｉにおいて実行される。図６の（Ａ）においてｌは所定の値（例えば、４）であり、ｋはＤＣＩフォーマット０Ａ／０Ｂ（６００）に含まれる‘Timing offset’
フィールドによって決定される。
【０１３８】
ＤＣＩフォーマット０Ａ／０Ｂ（６０２）は、ＤＣＩフォーマット０Ａ、または、ＤＣＩフォーマット０Ｂである。図６の（Ｂ）において、ＤＣＩフォーマット０Ａ／０Ｂ（６０２）に含まれる‘PUSCH trigger A’フィールドは１にセットされている。ＤＣＩフォ
ーマット０Ａ／０Ｂ（６０２）はサブフレームｎ−Ｘにおいて送信される。サブフレームｎ−Ｘは、サブフレームｎ−ｖからサブフレームｎの間に在る。ＤＣＩフォーマット１Ｃ（６０３）はサブフレームｎにおいて送信される。ＤＣＩフォーマット１Ｃ（６０３）は、有効期間において送信される。有効期間の開始位置は、サブフレームｎ−ｘより後のサブフレームであってもよい。例えば、有効期間の開始位置はサブフレームｎ−Ｘ＋１であってもよく、且つ、有効期間の終了位置はサブフレームｎ−Ｘ＋ｖであってもよい。有効期間の長さは、ＤＣＩフォーマット０Ａ／０Ｂ（６０２）における‘Timing offset’フ
ィールドの第３および第４の情報ビットによって示されてもよい。
【０１３９】
ＰＵＳＣＨ（６０４）の送信は、サブフレームｎ＋ｋ＋ｌ＋ｉにおいて実行される。図６の（Ｂ）においてｌはＤＣＩフォーマット１Ｃにおける‘Uplink transmission duration and offset indication’フィールドに少なくとも基づいて決定され、ｋはＤＣＩフォーマット０Ａ／０Ｂ（６００）に含まれる‘Timing offset’フィールドの第１および第
２の情報ビットの値に少なくとも基づいて決定される。
【０１４０】
ＤＣＩフォーマット１Ｃにおける‘Uplink transmission duration and offset indication’フィールドは、上りリンク期間（uplink duration）の長さｄを示してもよい。例
えば、図６の（Ｂ）において、上りリンク期間の開始位置はサブフレームｎ＋ｌであってもよく、且つ、上りリンク期間の終了位置はサブフレームｎ＋ｌ＋ｄ−１であってもよい。端末装置１は、上りリンク期間においてＰＤＣＣＨをモニタしなくてもよい。端末装置１は、上りリンク期間において上りリンク送信を行ってもよい。
【０１４１】
また、ＣＣ−ＲＮＴＩによってスクランブルされたＣＲＣパリティビットが付加されたＤＣＩフォーマット１Ｃは、‘Subframe configuration for LAA’フィールドを含んでもよい。 ‘Subframe configuration for LAA’フィールドは、現サブフレーム（current subframe）、または、次のサブフレーム（next subframe）において、下りリンク物理チャネルおよび／または物理信号の送信に用いられるＯＦＤＭシンボル数を示す。即ち、‘Subframe configuration for LAA’フィールドによって、次のサブフレームのＯＦＤＭシンボルが示された場合、端末装置１は、次のサブフレームが下りリンクサブフレームと判断
してもよい。
【０１４２】
ＤＣＩフォーマット０Ａ、および、ＤＣＩフォーマット０Ｂのそれぞれは、‘LBT Type’フィールド、および、’Priority class’フィールドを含む。‘LBT Type’フィールドは端末装置１がＰＵＳＣＨ送信を行う前に、チャネルセンシングに用いられる上りリンクＬＢＴ手順のタイプを示す。’Priority class’フィールドはチャネルセンシングに用いられるタイプ１の上りリンクＬＢＴ手順のチャネルアクセスプライオリティクラス（channel access priority class）の値を示す。
【０１４３】
端末装置１は、上りリンクグラント（ＤＣＩフォーマット０Ａ、および、ＤＣＩフォーマット０Ｂ）に含まれるLBT Type’フィールド、および、’Priority class’フィールドに応じて、上りリンクＬＢＴ手順のタイプ、および、チャネルアクセスプライオリティクラスを決定してもよい。端末装置１は、決定した上りリンクＬＢＴ手順のタイプ、および、決定したチャネルプライオリティクラスに基づいて、チャネルセンシングしてもよい。例えば、‘LBT Type’フィールドがタイプ１を示す（通知する）場合、端末装置１はＰＵＳＣＨ送信を行う前に、’Priority class’フィールドによって示されるチャネルアクセスプライオリティクラスに基づいて、タイプ１の上りリンクＬＢＴ手順を行う。また、例えば、‘LBT Type’フィールドがタイプ２を示す（通知する）場合、端末装置１は、’Priority class’フィールドに関わらず、ＰＵＳＣＨ送信を行う前に、タイプ２の上りリンクＬＢＴ手順を行う。
【０１４４】
また、一例として、ＰＵＳＣＨの送信に用いられるサブフレームが上りリンク期間ｄ内にある場合、端末装置１は、上りリンクグラントから通知された上りリンクＬＢＴのタイプに基づかず、タイプ２の上りリンクＬＢＴ手順を行ってもよい。すなわち、ＰＵＳＣＨの送信に用いられるサブフレームが上りリンク期間ｄ内にある場合、端末装置１は、上りリンクグラントによってタイプ２の上りリンクＬＢＴが通知されたとしても、タイプ２の上りリンクＬＢＴ手順を行ってもよい。
【０１４５】
以下、本実施形態において、ランダムアクセス手順について説明する。
【０１４６】
本実施形態において、プライマリセル、セカンダリセル、または、ＬＡＡセルにおいてランダムアクセス手順が実行されてもよい。ただし、時間領域における何れのポイントにおいても１つのランダムアクセス手順のみが実行される。すなわち、複数のランダムアクセス手順は同時に実行されない。
【０１４７】
ランダムアクセス手順は、コンテンションベースランダムアクセス手順（contention based random access procedure）、および、非コンテンションベースランダムアクセス手順（non-contention based random access procedure）を含んでいる。
【０１４８】
また、非コンテンションベースランダムアクセス手順は、ＰＤＣＣＨオーダ（ＰＤＣＣＨ  ｏｒｄｅｒ）によって開始されてもよい。基地局装置３は、ＰＤＣＣＨを用いてＰＤＣＣＨ  ｏｒｄｅｒを端末装置１に送信する。端末装置１は、ＰＲＡＣＨを用いてランダムアクセスプリアンブルを送信する。ＰＤＣＣＨ  ｏｒｄｅｒをランダムアクセスメッセージ０とも称する。
【０１４９】
ＤＣＩフォーマット１Ａは、ＰＤＣＣＨ  ｏｒｄｅｒによって開始されるランダムアクセス手順のために用いられる。以下の情報は、ＤＣＩフォーマット１Ａを用いることによって送信されてもよい。すなわち、ＰＤＣＣＨ  ｏｒｄｅｒは、少なくとも以下の情報の一部、または、全部を示してもよい。
・プリアンブルインデックス（Preamble Index） 
・ＰＲＡＣＨマスクインデックス（PRACH Mask Index）
・ランダムアクセス手順に関する情報
・ＬＢＴ  Ｔｙｐｅ
・Ｐｒｉｏｒｉｔｙ  ｃｌａｓｓ
【０１５０】
本実施形態において、ＬＡＡセルにおいてコンテンションベースランダムアクセス手順（contention based random access procedure）、および、非コンテンションベースランダムアクセス手順（non-contention based random access procedure）が実行されてもよい。なお、ＬＡＡセルがプライマリセルまたはプライマリセカンダリセルとして用いられる場合、当該ＬＡＡセルにおいて、コンテンションベースランダムアクセス手順、および／または、非コンテンションベースランダムアクセス手順が行ってもよい。また、ＬＡＡセルがセカンダリセルとして用いられる場合、当該ＬＡＡセルにおいて、非コンテンションベースランダムアクセス手順が行う。
【０１５１】
プライマリセル、セカンダリセル、または、ＬＡＡセルにおけるＰＲＡＣＨで、ランダムアクセスプリアンブルは、ランダムアクセス手順のメッセージ１であり、送信される。ＰＲＡＣＨでランダムアクセスプリアンブルが送信されるリソースはＰＲＡＣＨリソースと称されてもよい。端末装置１は、ランダムアクセス手順に関する情報（ＲＲＣメッセージ、システムインフォメーション）を、基地局装置３から受信する。ランダムアクセス手順に関する情報は、ＰＲＡＣＨリソースのセットを示す情報を含む。また、ランダムアクセス手順がＰＤＣＣＨ  ｏｒｄｅｒによって開始された場合、ＰＲＡＣＨリソースはＰＤＣＣＨ  ｏｒｄｅｒに含まれるフィールド、および／または、ＰＲＡＣＨリソースのセットを示す情報によって通知されてもよい。ここで、Ｃ−ＲＮＴＩによってスクランブルされたＣＲＣパリティビットが付加されたＤＣＩフォーマット１Ａは、ＰＤＣＣＨ  ｏｒｄｅｒとして用いられる。以下、ランダムアクセスプリアンブルは、プリアンブルとも称する。
【０１５２】
プリアンブルは、複数のシーケンスによって、基地局装置３へ情報を通知するように構成される。例えば、６４種類（プリアンブルインデックスの番号は１番から６４番まで）のシーケンスが用意されている。コンテンションベースランダムアクセス手順を行なう端末装置１各々は、メッセージ３の送信サイズが小さい場合にプリアンブルインデックスの１番から２４番までからランダムにインデックス番号を選択し、メッセージ３の送信サイズが大きい場合にインデックスの２５番から４８番までからランダムにインデックスを選択する。メッセージサイズが小さい場合のインデックスは、通常、伝搬路の特性が悪い（または、端末装置１と基地局装置３間の距離が遠い）場合に選択され、メッセージサイズが大きい場合のインデックスは、伝搬路の特性が良い（または、端末装置１と基地局装置３間の距離が近い）場合に選択される。ここで、プリアンブルインデックスの番号はプリアンブルの番号とも称される。
【０１５３】
また、非コンテンションベースランダムアクセス手順を行なう端末装置１は、基地局装置３がインデックスの４９番から６４番までの番号の中から選択した、いずれか１つのインデックス番号をＰＤＣＣＨ等で通知される。尚、ランダムアクセス処理の開始を指示するＰＤＣＣＨのプリアンブルのインデックスを示す情報が特定のコードポイント（例えば、全て“０”）の場合、端末装置１はコンテンションベースランダムアクセス手順を行なう。基地局装置３は、端末装置１にランダムアクセス処理の開始を指示するＰＤＣＣＨを送信するが、端末装置１に割り当てることのできる非コンテンションベースランダムアクセス用のプリアンブルのインデックスがない場合などに、ランダムアクセス処理の開始を指示するＰＤＣＣＨでコンテンションベースランダムアクセスを開始するよう端末装置１に通知する。
【０１５４】
即ち、コンテンションベースランダムアクセス手順の場合、端末装置１自身によってプリアンブルのインデックスがランダムに選択される。非コンテンションベースランダムアクセス手順の場合、基地局装置３から受信した情報に基づいて端末装置１によってランダムアクセスプリアンブルのインデックスが選択される。
【０１５５】
プライマリセル、セカンダリセル、または、ＬＡＡセルに対するランダムアクセスレスポンスは、ランダムアクセス手順のメッセージ２であり、プライマリセルにおけるＰＤＳＣＨで送信される。あるセルに対するランダムアクセスレスポンスは、当該あるセルにおいて送信されたランダムアクセスプリアンブルに対応している。ランダムアクセスレスポンス（ＤＬ−ＳＣＨ、トランスポートブロック）を含むＰＤＳＣＨに対応するＰＤＣＣＨは、ＲＡ−ＲＮＴＩ（Random Access-Radio Network Identifier）を含む。当該ＰＤＣＣＨは下りリンク制御情報（下りリンクグラント）を含む。
【０１５６】
ランダムアクセスレスポンスは、上りリンクグラントにマップされる上りリンクグラントフィールド、Ｔｅｍｐｏｒａｒｙ  Ｃ−ＲＮＴＩ（Cell Radio Network Temporary Identifier）を示すための情報にマップされるＴｅｍｐｏｒａｒｙ  Ｃ−ＲＮＴＩフィール
ド、および、ＴＡ（Timing Advance）コマンドを含む。ランダムアクセスレスポンスに含まれる上りリンクグラントを、ランダムアクセスレスポンスグラントとも称する。端末装置１は、ＴＡコマンドに基づいて、ＰＵＳＣＨ送信のタイミングを調整する。セルのグループ毎にＰＵＳＣＨ送信のタイミングが調整されてもよい。
【０１５７】
受信したランダムアクセスレスポンスに、送信したランダムアクセスプリアンブルに対応するランダムアクセスプリアンブル識別子（インデックス）が含まれており、基地局装置３から受信した情報に基づいて端末装置１によってランダムアクセスプリアンブルが選択された場合、端末装置１は非コンテンションベースランダムアクセス手順が成功裏に完了したとみなし、ランダムアクセスレスポンスグラントに基づいてＰＵＳＣＨでトランスポートブロックを送信する。
【０１５８】
受信したランダムアクセスレスポンスに、送信したランダムアクセスプリアンブルに対応するランダムアクセスプリアンブル識別子（インデックス）が含まれており、端末装置１自身によってランダムアクセスプリアンブルがランダムに選択された場合、Ｔｅｍｐｏｒａｒｙ  Ｃ−ＲＮＴＩをＴｅｍｐｏｒａｒｙ  Ｃ−ＲＮＴＩフィールドの値にセットし、ランダムアクセスレスポンスに含まれている上りリンクグラントに基づいてＰＵＳＣＨでランダムアクセスメッセージ３（トランスポートブロック）を送信する。
【０１５９】
ランダムアクセスレスポンスに含まれている上りリンクグラントに対応するＰＵＳＣＨは、対応するプリアンブルがＰＲＡＣＨで送信されたサービングセルにおいて送信されてもよい。
【０１６０】
基地局装置３は、端末装置１からのメッセージ３を受信すると、端末装置１がランダムアクセスに成功したこと、つまり端末装置１間でプリアンブルの衝突が起こっていない、又は端末装置１間でプリアンブルの衝突が起こっている場合に、衝突に打ち勝ったことを示すコンテンションレゾリューションを端末装置１に送信する（メッセージ４）。
【０１６１】
メッセージ３を送信した後に、端末装置１は、コンテンションリゾリューション（contention resolution）を受信する。コンテンションリゾリューションの受信に基づいて、
端末装置１はコンテンションベースランダムアクセス手順が成功裏に完了したとみなす。
【０１６２】
ＬＡＡセルにおいて、端末装置１がＰＲＡＣＨ送信（プリアンブル送信）を行う前に、ＬＢＴを行う必要がある。本実施形態において、ＰＲＡＣＨ送信に用いられるＬＢＴタイ
プは、ＰＲＡＣＨリソースが基地局装置３から確保している上りリンク期間（ＵＬ duration）内にあるかどうかに基づいて、決定されてもよい。
【０１６３】
図７は、本実施形態において、ＬＡＡセルにおいて、ＰＲＡＣＨ送信を行う一例を示す図である。図７において、横軸は時間領域（サブフレーム番号）を示す。
【０１６４】
（７０１）端末装置１は、基地局装置３に属するあるＬＡＡセルに接続を確立する場合、セルサーチが行われてもよい。セルサーチに用いられる信号は、同期信号（Synchronization Signal）と称される。同期信号とは、主に下りリンクの信号および／またはチャネルを送信する基地局装置３と下りリンクの信号および／またはチャネルを受信する端末装置１との間において、下りリンクの信号および／またはチャネルのタイミングを調整するために用いられる。同期信号はＰＳＳとＳＳＳを有する。端末装置１は、同期信号を検出することにより、当該セルとの間の下りリンク同期をとる。下りリンク同期を取った後に、端末装置１は、下りリンクサブフレームの受信タイミングを知る。端末装置１は、同期信号を検出することにより、当該セルの物理セルＩＤ（Physical Cell Identity; PCI）
を特定することもできる。また、当該セルの物理セルＩＤはＲＲＣメッセージにより、端末装置１に通知されてもよい。端末装置１は、プライマリセル、または、セカンダリセルにおいて、ＬＡＡセルの追加を指示するＲＲＣメッセージを受信してもよい。ＬＡＡセルの追加を指示するＲＲＣメッセージは、ＬＡＡセルの物理セルＩＤ、および、ＬＡＡセルのキャリア周波数を示してもよい。
【０１６５】
（７０２）端末装置１がＬＡＡセルにイニシャルアクセスする場合、端末装置１は、セルサーチを行った後に、当該セルの物理報知情報チャネル（ＰＢＣＨ；Physical Broadcast Channel）をデコードする。端末装置１で共通に用いられるマスターインフォメーションブロック（Master Information Block: MIB, Broadcast Channel: BCH）を取得する。
ＭＩＢには、セルの下りリンクシステム帯域幅、無線フレーム番号（ＳＦＮ；System Frame Number）、送信アンテナ数などの情報が含まれる。なお、ＬＡＡセルがセカンダリセ
ルまたはプライマリセカンダリセルに設定された場合、端末装置１は、当該セルにおいて、ＭＩＢを読まなくてもよい。
【０１６６】
（７０３）当該ＬＡＡセルにおけるランダムアクセス手順に関する情報は、システム情報（ＳＩＢ；System Information Block）として端末装置１に通知されてもよい。また、ランダムアクセス手順に関する情報は、個別ＲＲＣメッセージとして、端末装置１に通知されてもよい。ランダムアクセス手順に関する情報は、ハンドオーバコマンドやＰＤＣＣＨ  ｏｒｄｅｒに含まれてもよい。端末装置１は、ランダムアクセス手順に関する情報に基づいて、プリアンブルの送信に用いられるＰＲＡＣＨリソースのセットを示す情報を取得する。図７のような一例として、例えば、ランダムアクセス手順に関する情報に基づいて、ＰＲＡＣＨリソースはサブフレーム（７０５）、サブフレーム（７０７）、サブフレーム（７０９）にある。端末装置１は、サブフレーム（７０３）において、ＰＤＣＣＨ  ｏｒｄｅｒを受信してもよい。
【０１６７】
端末装置１は、当該セルの下りリンク同期を取った後、ＣＣ−ＲＮＴＩによってスクランブルされたＣＲＣパリティビットが付加されたＤＣＩフォーマット１Ｃをモニタ（デコード）することができる。図７において、サブフレームｎ（７０４）において、ＣＣ−ＲＮＴＩによってスクランブルされたＣＲＣパリティビットが付加されたＤＣＩフォーマット１Ｃが検出された。また、検出されたＤＣＩフォーマット１Ｃに含まれる‘Uplink transmission duration and offset indication’フィールドによって、上りリンクオフセット（ＵＬ ｏｆｆｓｅｔ）の長さｌの値と上りリンク期間（ＵＬ  ｄｕｒａｔｉｏｎ）の
長さｄの値が示される。
【０１６８】
端末装置１は、ＰＲＡＣＨリソースが設定されているサブフレームｎ＋１（７０５）、サブフレーム（７０７）、サブフレーム（７０９）において、ＰＲＡＣＨ送信を行ってもよい。サブフレームｎ（７０４）におけるＤＣＩフォーマット１Ｃに含まれる‘Subframe
configuration for LAA’フィールドが次のサブフレームｎ＋１（７０５）を下りリンクサブフレームとして指示した場合、且つ、サブフレームｎ＋１（７０５）がＰＲＡＣＨリソースを含む場合、端末装置１は当該サブフレームｎ＋１（７０５）において、ＰＲＡＣＨ送信を行わなくてもよい。即ち、ランダムアクセス手順に関する情報によって予め設定されたＰＲＡＣＨリソースを含むサブフレームが、ＤＣＩフォーマット１Ｃによって下りリンクサブフレームとして設定された場合、端末装置１は当該ＰＲＡＣＨリソースを利用せず、且つ、当該ＰＲＡＣＨリソースを用いてＰＲＡＣＨ送信を行わない。ここで、ＤＣＩフォーマット１Ｃに含まれる‘Subframe configuration for LAA’フィールドが次のサブフレームにおいて、下りリンク物理チャネルおよび／または物理信号の送信に用いられるＯＦＤＭシンボル数を示す場合、端末装置１は、当該サブフレームが下りリンクサブフレームと判断してもよい。つまり、ＰＲＡＣＨ送信に設定されるサブフレームが下りリンクサブフレームであった場合、当該下りリンクサブフレームにおいて、ＰＲＡＣＨ送信が行われない。ここで、下りリンク物理チャネルおよび／または物理信号の送信に用いられるＯＦＤＭシンボル数は１、または、１よりも大きい（０ではない）。
【０１６９】
前述したように、ランダムアクセス手順に関する情報によって予め設定されたＰＲＡＣＨリソースを含むサブフレームが、ＤＣＩフォーマット１Ｃによって下りリンクサブフレームとして設定された場合、端末装置１は当該ＰＲＡＣＨリソースを利用せず、且つ、当該ＰＲＡＣＨリソースを用いてＰＲＡＣＨ送信を行わない。この場合、送信カウンタPREAMBLE_TRANSMISSION_COUNTERは１つインクリメントしなくて、維持される。すなわち、Ｐ
ＲＡＣＨ送信のための送信電力はランプアップされなくてもよい。
【０１７０】
以下、ＰＲＡＣＨ（ランダムアクセスプリアンブル）送信に対する送信電力PPRACHの設定について説明する。
【０１７１】
ＰＲＡＣＨ（ランダムアクセスプリアンブル）送信に対する送信電力PPRACHは、少なくとも状態変数PREAMBLE_TRANSMISSION_COUNTERに基づいて設定される。ＰＲＡＣＨ（ラン
ダムアクセスプリアンブル）送信に対する送信電力ＰＰＲＡＣＨは、状態変数PREAMBLE_TRANSMISSION_COUNTERに基づいてランプアップされる。状態変数PREAMBLE_TRANSMISSION_COUNTERを送信カウンタとも称する。送信電力PPRACHは、数式（１）、および、数式（２）によって与えられる。
【０１７２】
【数１】
2019216293.tif 000003
【０１７３】
【数２】
2019216293.tif 000004
【０１７４】
ｍｉｎ｛｝は、入力された複数の値の中から最小値を出力する関数である。PCMAX,c(i)は、サービングセルｃのサブフレームｉに対する最大送信電力値である。当該最大送信電力値を、設定されるＵＥ送信電力とも称する。PLcは、サービングセルｃに対する下りリ
ンクパスロス推定である。下りリンクパスロス推定は、端末装置１によって計算される。
【０１７５】
DELTA_PREAMBLEはランダムアクセスプリアンブルフォーマットに基づく電力オフセット値である。preambleInitialReceivedTargetPower、および、powerRampingStepは、上位層（ＲＲＣ層）のパラメータである。基地局装置３は、当該上位層（ＲＲＣ層）のパラメータを示す情報を、端末装置１に送信してもよい。preambleInitialReceivedTargetPowerは、ＰＲＡＣＨ（ランダムアクセスプリアンブル）送信に対する初期送信電力を示す。powerRampingStepは、送信カウンタPREAMBLE_TRANSMISSION_COUNTERに基づいてランプアップ
される送信電力のステップを示す。すなわち、送信カウンタは送信電力がランプアップされた回数に対応している。また、送信カウンタを１にセットすることによって、送信電力のランプアップはリセットされる。また、送信カウンタを１つインクリメントすることによって、送信電力のランプアップが１回適用される。
【０１７６】
また、ＰＲＡＣＨリソースが上りリンクオフセット（ＵＬ  ｏｆｆｓｅｔ）ｌという期間内であった場合、端末装置１はＰＲＡＣＨ送信を行わなくてもよい。例えば、サブフレーム（７０６）がＰＲＡＣＨリソースだった場合、且つ、サブフレーム（７０６）が上りリンクオフセット（ＵＬ  ｏｆｆｓｅｔ）ｌという期間内であった場合、端末装置１は、当該サブフレーム（７０６）にあるＰＲＡＣＨリソースを利用せず、ＰＲＡＣＨ送信を行わない。この場合、送信カウンタは１つインクリメントしなくて、維持される。すなわち、ＰＲＡＣＨ送信のための送信電力はランプアップされなくてもよい。
【０１７７】
次に、サブフレームｎ＋ｌ（７０７）がＰＲＡＣＨリソースだった場合、且つ、サブフレームｎ＋ｌ（７０７）が上りリンク期間（ＵＬ  ｄｕｒａｔｉｏｎ）ｄという期間内であった場合、端末装置１は、当該ＰＲＡＣＨリソースを用いて、ＰＲＡＣＨ送信を行う。つまり、ＰＲＡＣＨリソースの少なくとも一部が上りリンク期間に含まれる場合、端末装置１は、当該ＰＲＡＣＨリソースにおいてＰＲＡＣＨ送信を行う前に、タイプ２（LBT ｃａｔｅｇｏｒｙ２）の上りリンクＬＢＴ手順を行ってもよい。端末装置１は、ＬＢＴの設定情報によってタイプ１の上りリンクＬＢＴ手順が指示されたとしても、当該ＰＲＡＣＨリソース（７０７）においてＰＲＡＣＨ送信を行う前に、タイプ２（LBT ｃａｔｅｇｏｒｙ２）の上りリンクＬＢＴ手順を行ってもよい。この時、端末装置１が、サブフレーム（７０７）にあるＰＲＡＣＨリソースを用いて、ＰＲＡＣＨ送信を行った場合、端末装置１は、送信カウンタを１つインクリメントする。すなわち、ＰＲＡＣＨ送信のための送信電力はランプアップされてもよい。
【０１７８】
また、サブフレーム（７０９）がＰＲＡＣＨリソースだった場合、且つ、サブフレーム
（７０９）が上りリンク期間（ＵＬ  ｄｕｒａｔｉｏｎ）ｄという期間外であった場合、端末装置１、当該ＰＲＡＣＨリソースを用いて、ＰＲＡＣＨ送信を行ってもよい。この場合、端末装置１は、通知されたＬＢＴの設定情報に基づいて、ＰＲＡＣＨ送信のための上りリンクＬＢＴ手順を行ってもよい。この時、端末装置１が、サブフレーム（７０７）にあるＰＲＡＣＨリソースを用いて、ＰＲＡＣＨ送信を行った場合、端末装置１は、送信カウンタを１つインクリメントする。すなわち、ＰＲＡＣＨ送信のための送信電力はランプアップされてもよい。
【０１７９】
ＬＢＴの設定情報は、基地局装置３からのＲＲＣメッセージによって、通知されてもよい。また、ランダムアクセス手順がＰＤＣＣＨ  ｏｒｄｅｒによって開始（トリガー）された場合、ＬＢＴの設定情報は、ＰＤＣＣＨ  ｏｒｄｅｒに含まれるフィールドによって、通知されてもよい。例えば、ＰＤＣＣＨ  ｏｒｄｅｒに用いられるＤＣＩフォーマット１Ａにおいて、‘ＬＢＴ  Ｔｙｐｅ’フィールド、および、‘Ｐｒｉｏｒｉｔｙ  ｃｌａｓｓ’フィールドが新たに設定されてもよい。すなわち、ＬＢＴの設定情報に、‘ＬＢＴ
Ｔｙｐｅ’フィールド、および、‘Ｐｒｉｏｒｉｔｙ  ｃｌａｓｓ’フィールドがマップされてもよい。１ビットの‘ＬＢＴ  Ｔｙｐｅ’フィールドは、タイプ１の上りリンクＬＢＴ手順およびタイプ２の上りリンクＬＢＴ手順の何れかを示す。２ビットの‘Ｐｒｉｏｒｉｔｙ  ｃｌａｓｓ’フィールドは、四種類のチャネルアクセスプライオリティクラスを示す。また、‘Ｐｒｉｏｒｉｔｙ  ｃｌａｓｓ’フィールドは１ビットに設定されてもよい。その場合、１ビットの‘Ｐｒｉｏｒｉｔｙ  ｃｌａｓｓ’フィールドは、２種類のチャネルアクセスプライオリティクラスを示す。例えば、２種類のチャネルアクセスプライオリティクラスはチャネルアクセスプライオリティクラス１、および、チャネルアクセスプライオリティクラス２であってもよい。
【０１８０】
また、ＬＢＴの設定情報は、ハンドオーバを指示するハンドオーバコマンドなどに含まれてもよい。また、ＬＢＴの設定情報は、仕様書などによって予め設定されてもよい。例えば、上りリンク期間（ＵＬ  ｄｕｒａｔｉｏｎ）ｄという期間外において、ＰＲＡＣＨ送信に用いられるＬＢＴタイプはプチャネルアクセスプライオリティクラスの値が１に設定されるタイプ１（LBT ｃａｔｅｇｏｒｙ４）であってもよい。また、例えば、ＰＲＡＣＨ送信に用いられるＬＢＴタイプはタイプ２であってもよい。ここで、ＬＢＴの設定情報は、ＬＢＴタイプ、および／または、チャネルアクセスプライオリティクラスの値を含んでもよい。
【０１８１】
つまり、端末装置１に対して、タイプ１のＬＢＴが設定された場合、端末装置１は、上りリンク期間ｄという期間外にあるＰＲＡＣＨリソース（７０９）において、ＰＲＡＣＨ送信を行う前にタイプ１の上りリンクＬＢＴ手順を行う。また、端末装置１に対して、タイプ２のＬＢＴが設定された場合、端末装置１は、当該ＰＲＡＣＨリソース（７０９）において、ＰＲＡＣＨ送信を行う前にタイプ２の上りリンクＬＢＴ手順を行う。
【０１８２】
ＬＢＴの設定情報は、上りリンク期間ｄ内におけるＰＲＡＣＨ送信のための第１のＬＢＴの設定情報、および、上りリンク期間ｄという期間外におけるＰＲＡＣＨ送信のための第２のＬＢＴの設定情報を含んでもよい。ここで、端末装置１は、第１のＬＢＴの設定情報に基づいて、上りリンク期間ｄ内におけるＰＲＡＣＨ送信のための上りリンクＬＢＴ手順を行ってもよい。ここで、第２のＬＢＴの設定情報に基づいて、上りリンク期間ｄという期間外におけるＰＲＡＣＨ送信のための上りリンクＬＢＴ手順を行ってもよい。
【０１８３】
図７において、端末装置１は、サブフレーム（７０７）におけるＰＲＡＣＨ（プリアンブル）送信の後に、ランダムアクセス手順に失敗したとみなした場合、サブフレーム（７０９）においてＰＲＡＣＨ（プリアンブル）の再送信を行ってもよい。端末装置１は、サブフレーム（７０７）におけるＰＲＡＣＨ送信のための上りリンクＬＢＴ手順のタイプと
、サブフレーム（７０９）におけるＰＲＡＣＨ再送信のための上りリンクＬＢＴ手順のタイプを別々に決定してもよい。即ち、端末装置１は、ＰＲＡＣＨ送信毎に、ＰＲＡＣＨ送信が上りリンク期間ｄに含まれるか否かに基づいて、ＰＲＡＣＨ送信のための上りリンクＬＢＴ手順のタイプを判定してもよい。
【０１８４】
図８は、本実施形態において、ＰＲＡＣＨ送信を行う異なる一例を示す図である。
【０１８５】
端末装置１は、ランダムアクセス手順に関する情報に基づいて、プリアンブルの送信に用いられるＰＲＡＣＨリソースのセットを示す情報を取得する。例えば、ランダムアクセス手順に関する情報に基づいて、ＰＲＡＣＨリソースはサブフレーム（８０３）、サブフレーム（８０５）、サブフレーム（８０７）である。
【０１８６】
端末装置１は、ランダムアクセス手順を行う前に、ＣＣ−ＲＮＴＩによってスクランブルされたＣＲＣパリティビットが付加されたＤＣＩフォーマット１Ｃを検出（モニタ、デコード）する。検出されたＤＣＩフォーマット１Ｃに含まれる‘Uplink transmission duration and offset indication’フィールドによって、上りリンクオフセット（ＵＬ ｏ
ｆｆｓｅｔ）の長さｌの値と上りリンク期間（ＵＬ  ｄｕｒａｔｉｏｎ）の長さｄの値が示される。
【０１８７】
端末装置１は、ＰＲＡＣＨリソースが上りリンク期間ｄ内にあるかどうかに基づいて、ＰＲＡＣＨ送信を行うかどうかを決定する。ＰＲＡＣＨリソースが上りリンク期間ｄ内にあった場合、端末装置１は当該ＰＲＡＣＨリソースを用いて、ＰＲＡＣＨ送信を行う。また、ＰＲＡＣＨリソースが上りリンク期間ｄ範囲外であった場合、端末装置１は当該ＰＲＡＣＨリソースを利用せず、当該ＰＲＡＣＨリソースを用いてＰＲＡＣＨ送信を行わなくてもよい。即ち、端末装置１は、ＰＲＡＣＨ送信毎にＰＲＡＣＨリソースが上りリンク期間ｄ内かどうかを判定してもよい。図８の例として、上りリンク期間ｄ範囲外のＰＲＡＣＨ送信が禁止されてもよい。即ち、ＰＲＡＣＨ送信が上りリンク期間ｄ内に限定される。
【０１８８】
図８において、ＰＲＡＣＨリソースであるサブフレーム（８０３）、および、サブフレーム（８０７）が上りリンク期間ｄ範囲外にあった場合、端末装置１はサブフレーム（８０３）、および、サブフレーム（８０７）において、ＰＲＡＣＨ送信を行わなくてもよい。なお、基地局装置３は上りリンク期間ｄ範囲外のＰＲＡＣＨリソースがあるサブフレームにおいて、下りリンクデータを割り当ててもよい。この時、端末装置１が、サブフレーム（８０３）、および、サブフレーム（８０７）にあるＰＲＡＣＨリソースを利用せず、ＰＲＡＣＨ送信を行わない場合、端末装置１は、送信カウンタを維持する。すなわち、ＰＲＡＣＨ送信のための送信電力はランプアップされなくてもよい。  
【０１８９】
また、ＰＲＡＣＨリソースであるサブフレーム（８０５）が上りリンク期間ｄ内にあった場合、端末装置１はサブフレーム（８０５）において、ＰＲＡＣＨ送信を行う。この場合、端末装置１は、ＰＲＡＣＨ送信を行う前に、タイプ２の上りリンクＬＢＴ手順を行う。この時、端末装置１が、サブフレーム（８０５）にあるＰＲＡＣＨリソースを用いて、ＰＲＡＣＨ送信を行った場合、端末装置１は、送信カウンタを１つインクリメントする。すなわち、ＰＲＡＣＨ送信のための送信電力はランプアップされてもよい。
【０１９０】
図９は、本実施形態におけるＰＲＡＣＨ送信を行う他の一例を示す図である。
【０１９１】
端末装置１は、ランダムアクセス手順に関する情報に基づいて、プリアンブルの送信に用いられるＰＲＡＣＨリソースのセットを示す情報を取得する。例えば、ランダムアクセス手順に関する情報に基づいて、ＰＲＡＣＨリソースはサブフレーム（９０３）、サブフ
レーム（９０５）、サブフレーム（９０７）である。
【０１９２】
図９の例として、ＰＲＡＣＨリソースが上りリンク期間ｄ内にあるかどうかに関わらず、端末装置１は、ＰＲＡＣＨリソースが設定されたサブフレームにおいて、ＰＲＡＣＨ送信を行う。なお、基地局装置３は、ＰＲＡＣＨリソースが設定されたサブフレームに下りリンクデータをスケジュールしなくてもよい。即ち、端末装置１は、ＰＲＡＣＨリソースが設定されたサブフレーム（９０３）、（９０５）、および、（９０７）において、ＰＲＡＣＨ送信を行ってもよい。この時、端末装置１が、予め設定されたＰＲＡＣＨリソースを用いて、ＰＲＡＣＨ送信を行った場合、端末装置１は、送信カウンタを１つインクリメントする。すなわち、ＰＲＡＣＨ送信のための送信電力はランプアップされてもよい。また、この場合、端末装置１は、ＣＣ−ＲＮＴＩによってスクランブルされたＣＲＣパリティビットが付加されたＤＣＩフォーマット１Ｃを検出（モニタ、デコード）しなくてもよい。ＰＲＡＣＨ送信に用いられるＬＢＴの設定情報は、基地局装置３からのＲＲＣメッセージによって、通知されてもよい。また、ＬＢＴの設定情報は、ＰＤＣＣＨ  ｏｒｄｅｒによって、通知されてもよい。また、ＬＢＴの設定情報は、ハンドオーバを指示するハンドオーバコマンドなどに含まれてもよい。また、ＬＢＴの設定情報は、仕様書などによって予め設定されてもよい。端末装置１は、通知されたＬＢＴの設定情報に基づいて、ＬＢＴのタイプを決定し、上りリンクＬＢＴ手順を行ってもよい。
【０１９３】
なお、端末装置１は、ランダムアクセス手順を行う前に、ＣＣ−ＲＮＴＩによってスクランブルされたＣＲＣパリティビットが付加されたＤＣＩフォーマット１Ｃを検出（モニタ、デコード）してもよい。検出されたＤＣＩフォーマット１Ｃに含まれる‘Uplink transmission duration and offset indication’フィールドによって、上りリンクオフセット（ＵＬ ｏｆｆｓｅｔ）の長さｌの値と上りリンク期間（ＵＬ  ｄｕｒａｔｉｏｎ）の
長さｄの値が示される。端末装置１は、ＰＲＡＣＨリソースが上りリンク期間ｄ内にあった場合、タイプ２の上りリンクＬＢＴ手順を行ってもよい。
【０１９４】
つまり、ＰＲＡＣＨ送信において端末装置１が行うＬＢＴの所定の期間は、ＰＲＡＣＨリソースの少なくとも一部が所定の期間に含まれるか否かに少なくとも基づき与えられてもよい。ＬＢＴの所定の期間は、タイプ２において２５ｕｓであってもよい。また、ＬＢＴの所定の期間は、タイプ１において、コンテンションウィンドウに基づき与えられてもよい。また、ＰＲＡＣＨ送信が行われるか否かは、ＰＲＡＣＨリソースの少なくとも一部が所定の期間に含まれるか否かに少なくとも基づき与えられてもよい。ここで、所定の期間は、上りリンク期間であってもよい。また、所定の期間は、上りリンクオフセットであってもよい。
【０１９５】
また、所定の送信において端末装置１が行うＬＢＴの所定の期間は、所定の送信のために設定されるリソースの少なくとも一部が所定の期間に含まれるか否かに少なくとも基づき与えられてもよい。また、所定の送信が行われるか否かは、所定の送信のために設定されるリソースの少なくとも一部が所定の期間に含まれるか否かに少なくとも基づき与えられてもよい。ここで、所定の送信は、基地局装置３からの上りリンクグラントに基づかずに行われる端末装置１の送信動作であってもよい。つまり、所定の送信は、グラントなしの送信（または、グラントフリー送信、グラントフリーアクセス）であってもよい。また、所定の送信のために設定されるリソースは、グラントなしの送信のために設定（または、予約される）されるリソース（または、リソースプール）であってもよい。また、所定の送信のために設定されるリソースは、上位層の信号、および／または、ＳＰＳ−ＲＮＴＩ（Semi-Persistent-Scheduling RNTI）に基づき設定されてもよい。
【０１９６】
前述したように、端末装置１は、ＰＤＣＣＨ  ｏｒｄｅｒによって、ＰＲＡＣＨ送信を行う例を示す図７、８、９の動作を開始（トリガー）してもよい。また、ＰＤＣＣＨ  ｏ
ｒｄｅｒに用いられるＤＣＩフォーマット１Ａに新たな１ビットの‘PUSCH trigger A’
フィールドが含まれてもよい。端末装置１は、１ビットの‘PUSCH trigger A’フィール
ドの値によって、図７、８、９の何れかの動作が適用されるかどうかを判断してもよい。例えば、‘PUSCH trigger A’フィールドが１の場合、図７、図８の動作が適用されても
よい。また、例えば、‘PUSCH trigger A’フィールドが０の場合、図９の動作が適用さ
れてもよい。
【０１９７】
以下、本実施形態において、ＰＲＡＣＨ送信に用いられる上りリンクＬＢＴ手順のタイプは、プリアンブル送信が初期送信か再送信かに基づいて、決定されてもよい。
【０１９８】
一例として、プリアンブルの送信が初期送信であった場合、端末装置１は、プリアンブルの初期送信に用いられるＰＲＡＣＨリソースにおいて、プリアンブルの初期送信を行う前に、常にタイプ２の上りリンクＬＢＴ手順を行ってもよい。プリアンブルの送信が再送信であった場合、端末装置１は、プリアンブルの再送信に用いられるＰＲＡＣＨリソースが上りリンク期間ｄ内かどうかに基づいて、上りリンクＬＢＴ手順のタイプを決定する。プリアンブルの再送信に用いられるＰＲＡＣＨリソースが上りリンク期間ｄ内であった場合、端末装置１は、プリアンブルの再送信を行う前に、タイプ２の上りリンクＬＢＴ手順を行ってもよい。また、プリアンブルの再送信に用いられるＰＲＡＣＨリソースが上りリンク期間ｄ範囲外であった場合、端末装置１は、プリアンブルの再送信を行う前に、タイプ１の上りリンクＬＢＴ手順を行ってもよい。ここで、タイプ１に関するチャネルアクセスプライオリティクラスの情報は、基地局装置３からのＲＲＣシグナリングによって通知されてもよい。また、タイプ１に関するチャネルアクセスプライオリティクラスの情報は、仕様書などによって予め設定されてもよい。例えば、チャネルアクセスプライオリティクラスの値は１に設定されてもよい。
【０１９９】
また、ＰＤＣＣＨ  ｏｒｄｅｒによって、ランダムアクセス手順がトリガーされる一例を説明する。プリアンブルの送信が初期送信であった場合、端末装置１は、プリアンブルの初期送信に用いられるＰＲＡＣＨリソースにおいて、プリアンブルの初期送信を行う前に、ＰＤＣＣＨ  ｏｒｄｅｒに含まれるＬＢＴの設定情報（ＬＢＴタイプ、チャネルアクセスプライオリティクラス）に基づいて、上りリンクＬＢＴ手順を行ってもよい。プリアンブルの送信が再送信であった場合、端末装置１は、プリアンブルの再送信に用いられるＰＲＡＣＨリソースが上りリンク期間ｄ内かどうかに基づいて、上りリンクＬＢＴ手順のタイプを決定する。プリアンブルの再送信に用いられるＰＲＡＣＨリソースが上りリンク期間ｄ内であった場合、端末装置１は、ＰＤＣＣＨ  ｏｒｄｅｒに含まれるＬＢＴの設定情報を利用せず、プリアンブルの再送信を行う前に、タイプ２の上りリンクＬＢＴ手順を行ってもよい。また、プリアンブルの再送信に用いられるＰＲＡＣＨリソースが上りリンク期間ｄ範囲外であった場合、端末装置１は、プリアンブルの再送信を行う前に、タイプ１の上りリンクＬＢＴ手順を行ってもよい。
【０２００】
また、ＰＤＣＣＨ  ｏｒｄｅｒによって、ランダムアクセス手順がトリガーされる別の例を説明する。プリアンブルの送信が初期送信であった場合、端末装置１は、プリアンブルの初期送信に用いられるＰＲＡＣＨリソースにおいて、プリアンブルの初期送信を行う前に、ＰＤＣＣＨ  ｏｒｄｅｒに含まれるＬＢＴの設定情報（ＬＢＴタイプ、チャネルアクセスプライオリティクラス）に基づいて、上りリンクＬＢＴ手順を行ってもよい。プリアンブルの送信が再送信であった場合、端末装置１は、プリアンブルの再送信に用いられるＰＲＡＣＨリソースにおいてプリアンブルの再送信を行う前に、タイプ１の上りリンクＬＢＴ手順を行ってもよい。
【０２０１】
また、ＰＤＣＣＨ  ｏｒｄｅｒによって、ランダムアクセス手順がトリガーされる別の例を説明する。プリアンブルの送信が初期送信であった場合、端末装置１は、プリアンブ
ルの初期送信に用いられるＰＲＡＣＨリソースにおいてプリアンブルの初期送信を行う前に、タイプ２の上りリンクＬＢＴ手順を行ってもよい。プリアンブルの送信が再送信であった場合、端末装置１は、プリアンブルの再送信に用いられるＰＲＡＣＨリソースにおいてプリアンブルの再送信を行う前に、タイプ１の上りリンクＬＢＴ手順を行ってもよい。
【０２０２】
以下、本実施形態における、端末装置１および基地局装置３の種々の態様について説明する。
【０２０３】
（１）本実施形態の第１の態様は、端末装置１であって、ＣＣ−ＲＮＴＩによってスクランブルされたＣＲＣパリティビットが付加されたＤＣＩフォーマット１Ｃを含むＰＤＣＣＨを受信する受信処理部２０５と、上りリンクＬＢＴを行うチャネル測定部２０８と、ＬＡＡセルにおいてプリアンブルを送信する送信処理部２０９と、を備え、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【０２０４】
（２）本実施形態の第１の態様において、前記ＰＲＡＣＨリソースが上りリンク期間内のサブフレームにあった場合、前記ＰＲＡＣＨ送信のための上りリンクＬＢＴ手順はタイプ２の上りリンクＬＢＴ手順に決定され、
前記ＰＲＡＣＨリソースが上りリンク期間外のサブフレームにあった場合、前記ＰＲＡＣＨ送信のための上りリンクＬＢＴ手順のタイプはタイプ１の上りリンクＬＢＴ手順に決定される
【０２０５】
（３）本実施形態の第１の態様において、前記ＰＲＡＣＨリソースが上りリンク期間内のサブフレームにあった場合、ＰＲＡＣＨ送信が行い、前記ＰＲＡＣＨリソースが上りリンク期間外のサブフレームにあった場合、ＰＲＡＣＨ送信が行わない。  
【０２０６】
（４）本実施形態の第２の態様は、基地局装置３であって、ＣＣ−ＲＮＴＩによってスクランブルされたＣＲＣパリティビットが付加されたＤＣＩフォーマット１Ｃを含むＰＤＣＣＨを送信する送信処理部１１１と、ＬＡＡセルにおいてプリアンブルを受信する受信処理部１０９と、を備え、ＰＲＡＣＨ送信のための上りリンクＬＢＴ手順のタイプは、前記ＰＲＡＣＨ送信に用いられるＰＲＡＣＨリソースが下りリンク物理チャネルを受信しない上りリンク期間内のサブフレームに少なくとも含まれるかどうかに基づいて、決定され、前記上りリンク期間の値は、前記ＤＣＩフォーマット１Ｃに含まれる‘Uplink transmission duration and offset indication’フィールドに少なくとも基づいて、与えられる。
【０２０７】
（５）本実施形態の第２の態様において、前記ＰＲＡＣＨリソースが上りリンク期間内のサブフレームにあった場合、前記ＰＲＡＣＨ送信のための上りリンクＬＢＴ手順はタイプ２の上りリンクＬＢＴ手順に決定され、
前記ＰＲＡＣＨリソースが上りリンク期間外のサブフレームにあった場合、前記ＰＲＡＣＨ送信のための上りリンクＬＢＴ手順のタイプはタイプ１の上りリンクＬＢＴ手順に決定される。
【０２０８】
（６）本実施形態の第２の態様において、前記ＰＲＡＣＨリソースが上りリンク期間内のサブフレームにあった場合、ＰＲＡＣＨ送信が行い、前記ＰＲＡＣＨリソースが上りリンク期間外のサブフレームにあった場合、ＰＲＡＣＨ送信が行わない。  
【０２０９】
これにより、端末装置１は効率的にＰＲＡＣＨ送信を行うができる。また、基地局装置３は効率的にＰＲＡＣＨ送信の受信を行うことができる。
【０２１０】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２１１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２１２】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２１３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２１４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２１５】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２１６】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２１７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２１８】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２１９】
１（１Ａ、１Ｂ、１Ｃ）  端末装置
３        基地局装置
１０１    上位層処理部
１０３    プリアンブル検出部
１０５    同期タイミング測定部
１０７    制御部
１０８    チャネル測定部
１０９    受信処理部
１１１    送信処理部
１０１１  無線リソース制御部
１０１２  ランダムアクセス制御部
１０１３  受信アンテナ  
１０１４  送信アンテナ
２０１    上位層処理部
２０３    制御部
２０５    受信処理部
２０７    プリアンブル生成部
２０８    チャネル測定部
２０９    送信処理部
２０１１  無線リソース制御部
２０１２  ランダムアクセス処理部
２０１３  受信アンテナ
２０１４  送信アンテナ
【図１】
2019216293.tif 000005
【図２】
2019216293.tif 000006
【図３】
2019216293.tif 000007
【図４】
2019216293.tif 000008
【図５】
2019216293.tif 000009
【図６】
2019216293.tif 000010
【図７】
2019216293.tif 000011
【図８】
2019216293.tif 000012
【図９】
2019216293.tif 000013